(57)【要約】【課題】外気の流入等に伴うドレン水の増加に効果的に対処してドレン水のドレンパン等からの溢れを防止できる商品収容装置を提供する。【解決手段】商品収容装置としての自動販売機１は、商品を収容する商品室ＳＲ１〜ＳＲ３と、商品室ＳＲ１〜ＳＲ３に配設された室内熱交換器ＨＥＸ１〜ＨＥＸ３及び室内ファンＦ１〜Ｆ３と、機械室６に配設された圧縮機ＣＯＭ、室外熱交換器ＨＥＸ４及び室外ファンＦ４とを含む冷媒回路１０と、冷媒回路１０で発生したドレン水を貯留し蒸発させて処理すると共に室外ファンＦ４からの風が当たるように配設されたドレン水処理ユニット６０と、商品室ＳＲ１〜ＳＲ３と外部との連通状態を検知すると、圧縮機ＣＯＭの動作とは無関係に室外ファンＦ４を運転させる制御装置１００と、を含む。【選択図】図１
2017211755.tif 000002
【特許請求の範囲】
【請求項１】
商品を収容する商品室と、
前記商品室に配設された室内熱交換器及び室内ファンと、前記商品室外に配設された圧縮機、室外熱交換器及び室外ファンとを含む冷媒回路と、
前記冷媒回路で発生したドレン水を貯留すると共に蒸発させて処理するドレン水処理ユニットであって、前記室外ファンからの風の少なくとも一部が当たるように配設された前記ドレン水処理ユニットと、
前記商品室と外部との連通状態を検知すると、前記圧縮機の動作とは無関係に前記室外ファンを運転させる制御装置と、
を含む、商品収容装置。
【請求項２】
前記制御装置は、前記商品室と外部との連通時間又はその相関値が閾値に達した場合に、前記圧縮機の動作とは無関係に前記室外ファンを運転させる、請求項１に記載の商品収容装置。
【請求項３】
前記商品室に商品を補充する際に開放される扉と、
前記扉の開閉を検出する扉開閉検出部と、
を含み、
前記制御装置は、所定期間における前記扉の累積開放時間が所定時間に達した場合及び所定期間における前記扉の開回数が所定回数に達した場合の少なくとも一方の場合に、前記圧縮機の動作とは無関係に前記室外ファンを運転させる、
請求項１に記載の商品収容装置。
【請求項４】
複数の前記商品室を含み、
前記扉が開放されることによって複数の前記商品室のそれぞれに対する商品の補充が可能に構成されている、請求項３に記載の商品収容装置。
【請求項５】
前記商品室に収容された商品が搬出されると共に、搬出された商品を外部から取り出すための商品取出口と、
前記商品室に収容された商品が前記商品取出口に搬出される際に開くことによって前記商品室と前記商品取出口とを一時的に連通させるシャッタ部材と、
を含み、
前記制御装置は、所定期間における商品搬出数が所定数に達した場合に、前記圧縮機の動作とは無関係に前記室外ファンを運転させる、
請求項１に記載の商品収容装置。
【請求項６】
複数の前記商品室を含み、
前記商品搬出数は、前記商品室ごとの商品搬出数である、
請求項５に記載の商品収容装置。
【請求項７】
複数の前記商品室を含み、
前記商品搬出数は、前記商品室ごとの商品搬出数を合計した総商品搬出数である、
請求項５に記載の商品収容装置。
【請求項８】
前記商品室の室内温度を検出する室内温度検出部を含み、
前記制御装置は、前記商品室と外部との連通によって前記商品室の室内温度が第１所定温度まで上昇した場合又は前記商品室の室内温度の上昇量が第１所定値に達した場合に、前記圧縮機の動作とは無関係に前記室外ファンを運転させる、
請求項１に記載の商品収容装置。
【請求項９】
前記商品室の室内温度を検出する室内温度検出部を含み、
前記制御装置は、前記商品室と外部との連通によって前記商品室の室内温度が第２所定温度まで低下した場合又は前記商品室の室内温度の低下量が第２所定値に達した場合に、前記圧縮機の動作とは無関係に前記室外ファンを運転させる、
請求項１に記載の商品収容装置。
【請求項１０】
前記商品室の室内湿度を検出する室内湿度検出部を含み、
前記制御装置は、前記商品室と外部との連通によって前記商品室の湿度温度が所定湿度まで上昇した場合又は前記商品室の室内湿度の上昇量が所定値に達した場合に、前記圧縮機の動作とは無関係に前記室外ファンを運転させる、
請求項１に記載の商品収容装置。
【請求項１１】
前記商品収容装置の周囲の温度を検出する外気温度検出部を含み、
前記制御装置は、前記商品室と外部との連通状態を検知し、かつ、前記商品収容装置の周囲の温度が前記商品室の設定温度よりも高い第３所定温度以上である場合に、前記圧縮機の動作とは無関係に前記室外ファンを運転させる、
請求項１に記載の商品収容装置。
【請求項１２】
前記商品収容装置の周囲の温度を検出する外気温度検出部を含み、
前記制御装置は、前記商品室と外部との連通状態を検知し、かつ、前記商品収容装置の周囲の温度が前記商品室の設定温度よりも低い第４所定温度以下である場合に、前記圧縮機の動作とは無関係に前記室外ファンを運転させる、
請求項１に記載の商品収容装置。
【請求項１３】
前記商品収容装置の周囲の湿度を検出する外気湿度検出部を含み、
前記制御装置は、前記商品室と外部との連通状態を検知し、かつ、前記商品収容装置の周囲の湿度が所定湿度以上である場合に、前記圧縮機の動作とは無関係に前記室外ファンを運転させる、
請求項１又は１１に記載の商品収容装置。
【発明の詳細な説明】
【技術分野】
【０００１】
本発明は、商品を収容すると共に収容した商品を冷却可能な自動販売機などの商品収容装置に関する。
【背景技術】
【０００２】
一般に、自動販売機などの商品収容装置は、冷媒回路と、前記冷媒回路（主に蒸発器）で発生したドレン水を貯留して蒸発させるドレンパンを備えている。また、圧縮機停止時におけるドレン水の蒸発を促進するため、外気温が所定温度以上の場合に、圧縮機の停止後、室外ファンを所定時間連続運転するように構成された自動販売機も知られている（特許文献１参照）。
【先行技術文献】
【特許文献】
【０００３】
【特許文献１】特開２０１１−１８０９５９号公報
【発明の概要】
【発明が解決しようとする課題】
【０００４】
ところで、例えば外気が前記自動販売機の庫内に流入した場合には、外気温度がそれほど高くなくても前記ドレン水が増加するおそれがあるため、前記室外ファンを運転して前記ドレン水の蒸発を促進することが望ましい。しかし、特許文献１に記載された自動販売機は、このような場合に対応することできず、場合によっては前記ドレンパンから前記ドレン水が溢れてしまうおそれがあった。また、特許文献１に記載された自動販売機は、単に外気温が所定温度以上の場合、圧縮機の停止後に室外ファンを連続運転するように構成されているため、不必要に室外ファンを運転してしまう（すなわち、無駄な電力を消費してしまう）おそれがあった。
【０００５】
そこで、本発明は、特に外気の流入に伴うドレン水の増加に効果的に対処してドレン水のドレンパン等からの溢れを防止できる商品収容装置を提供することを目的とする。
【課題を解決するための手段】
【０００６】
本発明の一側面によると、商品収容装置は、商品を収容する商品室と、前記商品室に配設された室内熱交換器及び室内ファンと、前記商品室外に配設された圧縮機、室外熱交換器及び室外ファンとを有する冷媒回路と、前記冷媒回路で発生したドレン水を貯留すると共に蒸発させて処理するドレン水処理ユニットであって、前記室外ファンからの風の少なくとも一部が当たるように配設された前記ドレン水処理ユニットと、前記商品室と外部との連通状態を検知すると、前記圧縮機の動作とは無関係に前記室外ファンを運転させる制御装置と、を含む。
【発明の効果】
【０００７】
前記商品収容装置において、前記制御装置は、前記商品室と外部との連通状態を検知すると、前記圧縮機の動作とは無関係に前記室外ファンを運転させる。このため、前記ドレン水処理ユニットにおける前記ドレン水の蒸発が適時に促進され、外気の流入に伴って前記ドレン水が増加した場合であっても前記ドレン水処理ユニットにおける前記ドレン水の溢れが防止される。
【図面の簡単な説明】
【０００８】
【図１】本発明の商品収容装置の一実施形態に係る自動販売機の側面断面図である。
【図２】前記自動販売機の冷媒回路の構成を示す図である。
【図３】前記自動販売機の三つの商品室の全てを冷却室とする場合の前記冷媒回路における冷媒の流れを示す図である。
【図４】前記三つの商品室のうちの二つの商品室を冷却室とし、残りの一つの商品室を加温室とする場合の前記冷媒回路における冷媒の流れを示す図である。
【図５】前記三つの商品室のうちの一つの商品室を常温室又は不使用室とし、他の二つの商品室を加温室とする場合の前記冷媒回路における冷媒の流れを示す図である。
【図６】前記自動販売機のドレン水処理ユニットにおけるドレン水の蒸発を促進させる蒸発促進処理（第１蒸発促進処理）を示すフローチャートである。
【図７Ａ】第２蒸発促進処理を示すフローチャートである。
【図７Ｂ】第２蒸発促進処理を示すフローチャートである。
【図７Ｃ】第２蒸発促進処理を示すフローチャートである。
【図８Ａ】第３蒸発促進処理を示すフローチャートである。
【図８Ｂ】第３蒸発促進処理を示すフローチャートである。
【図８Ｃ】第３蒸発促進処理を示すフローチャートである。
【図９Ａ】第４蒸発促進処理を示すフローチャートである。
【図９Ｂ】第４蒸発促進処理を示すフローチャートである。
【図９Ｃ】第４蒸発促進処理を示すフローチャートである。
【図１０Ａ】第５蒸発促進処理を示すフローチャートである。
【図１０Ｂ】第５蒸発促進処理を示すフローチャートである。
【図１０Ｃ】第５蒸発促進処理を示すフローチャートである。
【図１１】第６蒸発促進処理を示すフローチャートである。
【図１２】第７蒸発促進処理を示すフローチャートである。
【図１３】第８蒸発促進処理を示すフローチャートである。
【発明を実施するための形態】
【０００９】
以下、添付図面を参照して本発明の実施形態について説明する。なお、ここでは本発明の実施形態に係る商品収容装置が自動販売機である場合について説明する、但し、これに限られるものではなく、本発明に係る商品収容装置は、商品を収容すると共に収容した商品を冷却又は加温可能な装置であればよい。
【００１０】
図１は、本発明の商品収容装置の一実施形態である自動販売機１の側面断面図であり、図２は、自動販売機１の冷媒回路１０を示す図である。実施形態に係る自動販売機１は、主に缶入り飲料やペットボトル入り飲料などの容器入り飲料を商品Ｐとして収容し、収容した商品を冷却又は加温して販売（搬出）することができるように構成されている。
【００１１】
図１に示されるように、自動販売機１は、前面が開口した箱型の自動販売機本体（装置本体）２と、装置本体２の前面を開閉する外扉（前面扉）３と、外扉３の内側に配置された内扉４と、を含む。
【００１２】
装置本体２は、その内部に断熱構造の商品収容庫５と、商品収容庫５の下方に設けられた機械室６と、を有する。
【００１３】
商品収容庫５の内部は、仕切壁５ａ、５ｂによって、自動販売機１の幅方向（左右方向）に並んだ三つの商品室ＳＲ１〜ＳＲ３に区画されている（図２参照）。商品室ＳＲ１〜ＳＲ３のそれぞれの内部には、三つの商品収容コラム５１が前後に配設されている。商品収容コラム５１は、上下方向に延びる一対の商品通路５２を有しており、商品収容コラム５１の上部には、各商品通路５２に対応して商品投入口５３が設けられている。商品通路５２の下部には、商品搬出機５４が設けられている。商品搬出機５４は、対応する商品通路５２内に上下方向に積み重ねられて収容された複数の商品Ｐのうち最下位の商品Ｐから順に落下させるように構成されている。
【００１４】
機械室６は、外部（自動販売機１の周囲空間）に連通しており、機械室６には、外部の空気（外気）が流入するようになっている。機械室６の内部には、ドレン水処理ユニット６０が配設されている。ドレン水処理ユニット６０は、冷媒回路１０で発生したドレン水（主に結露水）を貯留し、蒸発させることによって処理するように構成されている。本実施形態において、ドレン水処理ユニット６０は、前記ドレン水を貯留するドレンパン６１と、ドレンパン６１内のドレン水を吸い上げて蒸発させる蒸発シート６２とを含む。
【００１５】
外扉（扉部材）３は、装置本体２の一端側に回動自在に取り付けられている。外扉３の背面には、主に商品収容庫５の商品投入口５３を閉鎖する断熱構造の閉鎖部３ａが取り付けられている。外扉３は、通常、装置本体２の前面を閉鎖しており、必要に応じてオペレータによって開放される。例えば商品Ｐが不足した場合に、オペレータが外扉３を開放して各商品投入口５３から商品Ｐを投入することによって各商品通路５２に商品Ｐが補充される。外扉３が開放されると、商品投入口５３を介して商品収容庫５内（すなわち、商品室ＳＲ１〜ＳＲ３内）と外部とが連通する。また、外扉３の下部には、商品搬出機５４が落下させた商品Ｐが搬出されると共に搬出された商品Ｐを顧客が取り出すための（すなわち、外部から取り出すための）商品取出口３１が設けられている。
【００１６】
内扉４は、外扉３と同様、装置本体２の一端側に回動自在に取り付けられている。内扉４は、外扉３の閉鎖部３ａと協働して商品収容庫５の前面の開口部を覆うように構成されている。内扉４の下部には、商品室ＳＲ１〜ＳＲ３のそれぞれに対応する商品搬出口４１〜４３が設けられている。商品搬出口４１は商品室ＳＲ１と商品取出口３１とを連通し、商品搬出口４２は商品室ＳＲ２と商品取出口３１と連通し、商品搬出口４２は商品室ＳＲ３と商品取出口３１とを連通している。すなわち、商品室ＳＲ１内の商品搬出機５４が落下させた商品Ｐは商品搬出口４１を通過して商品取出口３１に搬出され、商品室ＳＲ２内の商品搬出機５４が落下させた商品Ｐは商品搬出口４２を通過して商品取出口３１に搬出され、商品室ＳＲ３内の商品搬出機５４が落下させた商品Ｐは商品搬出口４３を通過して商品取出口３１に搬出されるようになっている。
【００１７】
商品搬出口４１〜４３のそれぞれには、主に商品室ＳＲ１〜ＳＲ３の断熱性の低下を抑制するため、搬出口シャッタ（シャッタ部材）４４が設けられている。搬出口シャッタ４４は、対応する商品搬出口４１〜４３を常時閉鎖すると共に、対応する商品搬出口４１〜４３を商品Ｐが通過する際に開くように構成されている。例えば、搬出口シャッタ４４は、商品搬出機５４が落下させた商品Ｐによって押し開かれ、自重によって閉じられるように構成され得る。したがって、商品Ｐが搬出されると、商品収容庫５内（具体的には、搬出された商品Ｐが収容されていた前記商品室内）と商品取出口３１とが一時的に連通することになる。
【００１８】
次に、図２を参照して冷媒回路１０について説明する。冷媒回路１０は、ヒートポンプとして利用可能に構成され、商品室ＳＲ１〜ＳＲ３内（すなわち、商品室ＳＲ１〜ＳＲ３に収容された商品Ｐ）を冷却又は加温する。本実施形態において、商品室ＳＲ１は、常温室（不使用室）又は収容した商品Ｐの冷却を行う冷却室として設定可能に構成され、商品室ＳＲ２及びＳＲ３は、常温室（不使用室）、収容した商品Ｐの冷却を行う冷却室又は収容した商品Ｐの加温を行う加温室として設定可能に構成されている。
【００１９】
本実施形態において、冷媒回路１０は、室内熱交換器ＨＥＸ１〜ＨＥＸ３と、室外熱交換器ＨＥＸ４と、室内ファンＦ１〜Ｆ３と、室外ファンＦ４と、膨張機構としての膨張弁ＥＶ１〜ＥＶ４と、圧縮機ＣＯＭと、を含む。室内熱交換器ＨＥＸ１〜ＨＥＸ３、室外熱交換器ＨＥＸ４、膨張弁ＥＶ１〜ＥＶ４及び圧縮機ＣＯＭは、冷媒配管１１によって接続されている。また、冷媒配管１１には、電磁弁ＳＶ１〜ＳＶ１０及び逆止弁ＣＶ１〜ＣＶ７が所定の位置に配置されている。
【００２０】
室内熱交換器ＨＥＸ１及び室内ファンＦ１は商品室ＳＲ１内に配置されている。室内ファンＦ１は商品室ＳＲ１内の空気を室内熱交換器ＨＥＸ１に向けて送風し、室内熱交換器ＨＥＸ１は自身を通過する冷媒と商品室ＳＲ１内の空気との間で熱交換を行わせる。室内熱交換器ＨＥＸ２及び室内ファンＦ２は商品室ＳＲ２内に配置されている。室内ファンＦ２は商品室ＳＲ２内の空気を室内熱交換器ＨＥＸ２に向けて送風し、室内熱交換器ＨＥＸ２は自身を通過する冷媒と商品室ＳＲ２内の空気との間で熱交換を行わせる。室内熱交換器ＨＥＸ３及び室内ファンＦ３は商品室ＳＲ３内に配置されている。室内ファンＦ３は商品室ＳＲ３内の空気を室内熱交換器ＨＥＸ３に向けて送風し、室内熱交換器ＨＥＸ３は自身を通過する冷媒と商品室ＳＲ３内の空気との間で熱交換を行わせる。
【００２１】
圧縮機ＣＯＭ、室外熱交換器ＨＥＸ４、室外ファンＦ４及び膨張弁ＥＶ１〜ＥＶ４は、機械室６内に配置されている。但し、これに限られるものではなく、膨張弁ＥＶ１が商品室ＳＲ１内に、膨張弁ＥＶ２が商品室ＳＲ２内に、膨張弁ＥＶ３が商品室ＳＲ３内に配置されてもよい。圧縮機ＣＯＭは冷媒を圧縮して冷媒の温度を上昇させる。室外ファンＦ４は機械室６内の空気（すなわち、前記外気）を室外熱交換器ＨＥＸ４に向けて送風し、室外熱交換器ＨＥＸ４は、自身を通過する冷媒と前記外気との間で熱交換を行わせる。膨張弁ＥＶ１〜ＥＶ４は、冷媒を膨張させて冷媒の温度を低下させる。なお、図示は省略するが、圧縮機ＣＯＭの吸入側の冷媒と、室外熱交換器ＨＥＸ４から膨張弁ＥＶ３に向かう冷媒との間で熱交換が行われるように構成されてもよい。また、機械室６において、ドレン水処理ユニット６０（特に、蒸発シート６２）は、室外ファンＦ４からの風の少なくとも一部が当たる位置に設置されている（図１参照）。
【００２２】
図１に戻って、自動販売機１は、自動販売機１における各種動作を制御する制御装置１００を有している。本実施形態において、制御装置１００は、外扉３の背面に配設されており、タイマー機能、カウンタ機能及び時計機能などを有している。また、制御装置１００には、各種センサの検出信号や図示省略した入力部を介して入力されたオペレータの設定情報などが入力される。前記各種センサは、商品室ＳＲ１〜ＳＲ３の室内温度Ｔ１〜Ｔ３を検出する室内温度センサ１０１〜１０３、外扉３の開閉状態を検出する扉開閉センサ１０４、自動販売機１の周囲の温度（外気温度）Ｔａを検出する外気温度センサ１０５、商品室ＳＲ１〜ＳＲの室内湿度Ｈ１〜Ｈ３を検出する室内湿度センサ１０６〜１０８、自動販売機１の周囲の湿度（外気湿度）Ｈａを検出する外気湿度センサ１０９などを含む。
【００２３】
制御装置１００は、前記オペレータの設定情報に基づいて、冷媒回路１０の構成要素、具体的には、室内ファンＦ１〜Ｆ３、室外ファンＦ４、膨張弁ＥＶ１〜ＥＶ４、圧縮機ＣＯＭ及び電磁弁ＳＶ１〜ＳＶ１０を適宜制御する。前記オペレータの設定情報は、主に自動販売機１の運転モードであり、前記運転モードは、前各商品室ＳＲ１〜ＳＲ３の設定温度（冷却温度又は加温温度）を含む。
【００２４】
例えば、前記オペレータの設定情報が商品室ＳＲ１〜ＳＲ３の全てを冷却室に設定するＣＣＣ運転モードである場合、制御装置１００は、冷媒が図３に示される経路で流れるように電磁弁ＳＶ１〜ＳＶ１０を制御する。そして、制御装置１００は、各商品室ＳＲ１〜ＳＲ３の室内温度がそれぞれの設定温度（冷却温度）を維持するように、室内ファンＦ１〜Ｆ３、室外ファンＦ４、膨張弁ＥＶ１〜ＥＶ３及び圧縮機ＣＯＭを適宜制御する。
【００２５】
また、前記オペレータの設定情報が、商品室ＳＲ１及びＳＲ２を冷却室に設定すると共に商品室ＳＲ３を加温室に設定するＣＣＨ運転モードである場合、制御装置１００は、冷媒が図４に示される経路で流れるように電磁弁ＳＶ１〜ＳＶ１０を制御する。そして、制御装置１００は、各商品室ＳＲ１〜ＳＲ３の室内温度がそれぞれの設定温度（冷却温度又は加温温度）を維持するように、室内ファンＦ１〜Ｆ３、室外ファンＦ４、膨張弁ＥＶ１〜ＥＶ３及び圧縮機ＣＯＭを適宜制御する。
【００２６】
さらに、前記オペレータの設定情報が、商品室ＳＲ１を常温室又は不使用室に設定する共に商品室ＳＲ２及びＳＲ３を加温室に設定するＸＨＨ運転モードの場合、制御装置１００は、冷媒が図５に示される経路を流れるように電磁弁ＳＶ１〜ＳＶ１０を制御する。そして、制御装置１００は、商品室ＳＲ２及びＳＲ３の室内温度がそれぞれ設定温度（加温温度）を維持するように、室内ファンＦ２及びＦ３、室外ファンＦ４、膨張弁ＥＶ４及び圧縮機ＣＯＭを適宜制御する。
【００２７】
なお、図示省略するが、自動販売機１は、商品室ＳＲ１を冷却室に設定すると共に商品室ＳＲ２及びＳＲ３を加温室に設定するＣＨＨ運転モード、及び、商品室ＳＲ２のみ又はＳＲ３のみを加温室に設定すると共にそれ以外の商品室を常温室又は不使用室に設定するＸＨＸ運転モードやＸＸＨ運転モードでの運転も可能である。
【００２８】
また、制御装置１００は、顧客が所望の商品Ｐを選択すると共に当該所望の商品Ｐの対価を支払う又はそれに準ずる行為を行うことにより、前記所望の商品Ｐに対応する商品搬出機５４を駆動して前記所望の商品Ｐを商品取出口３１に搬出させる。ここで、制御装置１００は、そのカウンタ機能によって、商品室ＳＲ１〜ＳＲ３ごとの商品Ｐの搬出数（すなわち、商品Ｐの販売数）及び自動販売機１全体としての商品Ｐの搬出数（販売数）を把握することができる。
【００２９】
さらに、制御装置１００は、冷媒回路１０で発生する前記ドレン水が増加するおそれがある場合には、ドレンパン６１からの前記ドレン水の溢れを防止するため、ドレンパン６１内のドレン水（ドレンパン６１に貯留されているドレン水及び／又はドレンパン６１に新たに貯留されるドレン水）の蒸発を促進させる蒸発促進処理を実行する。以下、本実施形態における蒸発促進処理について説明する。
【００３０】
前記商品室が前記冷却室に設定されている場合、通常、外気の温度及び湿度は、前記商品室（冷却室）内の温度及び湿度よりも高い。このため、前記商品室（冷却室）内に外気が流入すると、前記商品室（冷却室）内に配置された前記室内熱交換器での結露水が増加するおそれがある。また、前記商品室が前記加温室に設定されている場合、通常、外気の温度は前記商品室（加温室）の温度よりも低い。このため、前記商品室（加温室）内に外気が流入したり、前記商品室（加温室）に加温されていない商品が補充されたりすると、前記商品室（加温室）内をさらに加温する必要が生じ、結果的に前記室外熱交換器での結露水が増加するおそれがある。すなわち、商品室ＳＲ１〜ＳＲ３が前記冷却室に設定されているか前記加温室に設定されているかにかかわらず、商品室ＳＲ１〜ＳＲ３内に外気が流入することによって冷媒回路１０における前記ドレン水が増加するおそれがある。
【００３１】
そこで、本実施形態において、制御装置１００は、各商品室ＳＲ１〜ＳＲ３に外気が流入する状態である各商品室ＳＲ１〜ＳＲ３と外部との連通状態を検知すると、圧縮機ＣＯＭの動作とは無関係に室外ファンＦ４を運転させる（駆動する）ことによって、前記蒸発促進処理を実行する。具体的には、本実施形態において、制御装置１００は、以下に説明する第１〜第８蒸発促進処理のうちの少なくとも一つの蒸発促進処理を実行する。なお、上述のように、各商品室ＳＲ１〜ＳＲ３は、主に外扉３が開放されること、及び／又は、対応する搬出口シャッタ４４が開くこと（すなわち、商品Ｐが搬出（販売）されること）によって外部に連通する。
【００３２】
〔第１蒸発促進処理〕
制御装置１００は、扉開閉センサ１０４の検出信号に基づいて商品室ＳＲ１〜ＳＲ３と外部との連通状態（ここでは、外扉３が開放されたこと）を検知すると、外扉３の開回数をカウントアップ（１インクリメント）とすると共に、外扉３の開放時間を計測して外扉３の累積開放時間を算出する。そして、制御装置１００は、外扉３の累積開放時間が所定時間に達した場合又は外扉３の開回数が所定回数に達した場合に、圧縮機ＣＯＭの動作とは無関係に室外ファンＦ４を運転させる。ここで、制御装置１００は、扉開閉センサ１０４の検出信号に基づき、そのカウンタ機能によって外扉３の前記開回数を把握することができ、そのタイマー機能によって外扉３の開放時間を把握することができる。また、制御装置１００は、所定期間ごとに（例えば、数時間ごとに又は予め定められた少なくとも一つのリセット時刻に）、外扉３の累積開放時間及び外扉３の開回数をリセット（ゼロクリア）するものとする。なお、外扉３の累積開放時間は、商品室ＳＲ１〜ＳＲ３と外部との連通時間に相当し、外扉３の開回数は、商品室ＳＲ１〜ＳＲ３と外部との連通時間の相関値に相当する。
【００３３】
図６は、第１蒸発促進処理を示すフローチャートである。このフローは、扉開閉センサ１０４の検出信号に基づき外扉３が開かれたことが検知されると、実行される。
【００３４】
ステップＳ１では、外扉３の開回数を１インクリメントする。ステップＳ２では、外扉３の累積開放時間の算出を開始（又は再開）する。すなわち、外扉３の開放時間の計測を開始すると共に、計測された外扉３の開放時間を記憶されている外扉３の累積開放時間（０を含む）に順次加算する。
【００３５】
ステップＳ３では、外扉３の開回数が所定回数に達したか否かを判断する。外扉３の開回数が前記所定回数に達していなければ（外扉３の開回数＜前記所定回数であれば）ステップＳ４に進み、外扉３の開回数が前記所定回数に達していれば（外扉３の開回数≧前記所定回数であれば）ステップＳ８に進む。前記所定回数は、任意に設定され得る。前記所定回数は、あらかじめ定められた一定数でもよく、前記運転モード、外気温度Ｔａ及び／又は外気湿度Ｈａなどに基づいて可変設定されてもよい。例えば、前記運転モードがＣＣＣ運転モードである場合、前記所定回数は、外気温度Ｔａが高いほど及び／又は外気湿度Ｈａが高いほど、少ない値に設定され得る。
【００３６】
ステップＳ４では、外扉３の累積開放時間が所定時間に達したか否かを判断する。外扉３の累積開放時間が前記所定時間に達していなければ（外扉３の累積開放時間＜所定時間であれば）ステップＳ５に進み、外扉３の累積開放時間が前記所定時間に達していれば（外扉３の累積開放時間≧所定時間であれば）ステップＳ８に進む。前記所定時間は、任意に設定され得る。前記所定時間は、あらかじめ定められた一定時間でもよく、前記運転モード、外気温度Ｔａ及び／又は外気湿度Ｈａなどに基づいて可変設定されてもよい。例えば前記運転モードがＣＣＣ運転モードである場合、前記所定時間は、外気温度Ｔａが高いほど及び／又は外気湿度Ｈａが高いほど、短い時間に設定され得る。
【００３７】
ステップＳ５では、外扉３が閉じられたか否か（換言すれば、各商品室ＳＲ１〜ＳＲ３と外部との連通状態が解除されたか否か）を判断する。外扉３が閉じられていなければステップＳ４に戻る。一方、外扉３が閉じられていればステップＳ６で外扉３の累積開放時間の算出を終了し、ステップＳ７で外扉３の開回数及び外扉３の累積開放時間を記憶した後に本フローを終了する。
【００３８】
ステップＳ８では、ステップＳ５と同様、外扉３が閉じられたか否かを判断する。そして、外扉３が閉じられるとステップＳ９に進み、外扉３の累積開放時間の算出を終了してステップＳ１０に進む。外扉３が開放されたり、外扉３に開放時に室内温度（設定温度）よりも高温又は低温の商品Ｐが補充されたりすると、商品室ＳＲ１〜ＳＲ３の少なくとも一つの室内温度がその設定温度から外れる場合が多い。そのため、制御装置１００は、外扉３が閉じられると、通常、圧縮機ＣＯＭを動作させると共に、室内ファンＦ１〜Ｆ３の少なくとも一つ及び室外ファンＦ４を運転させる。
【００３９】
ステップＳ１０では、圧縮機ＣＯＭの動作とは無関係に室外ファンＦ４を運転させる時間である室外ファンＦ４の第１強制運転時間を設定する。前記第１強制運転時間は、任意に設定され得る。前記第１強制運転時間は、あらかじめ定められた一定時間でもよいし、前記運転モード、外気温度Ｔａ、外気湿度Ｈａ及び／又はステップＳ９で算出を終了した時点での外扉３の累積開放時間に基づいて可変設定されてもよい。例えば商品室ＳＲ１〜ＳＲ３の全てが前記冷却室に設定されている場合、前記第１強制運転時間は、外気温度Ｔａが高いほど、外気湿度Ｈａが高いほど及び／又は前記算出を終了した時点での外扉３の累積開放時間が長いほど、長い時間に設定され得る。
【００４０】
ステップＳ１１では、圧縮機ＣＯＭの停止後、前記第１強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第１強制運転時間の設定後、速やかに室外ファンＦ４を運転させる。これにより、圧縮機ＣＯＭが停止中であっても、少なくとも前記第１強制運転時間はドレン水処理ユニット６０（特に、蒸発シート６２）に対する送風が行われることとなり、ドレンパン６１内のドレン水の蒸発が促進される。
【００４１】
そして、ステップＳ１１で室外ファンＦ４の前記第１強制運転時間の連続運転又は前記第１強制運転時間の間欠運転を行った後、ステップＳ１２において外扉３の累積開放時間及び外扉３の開回数をリセット（ゼロクリア）して本フローを終了する。
【００４２】
ここで、第１蒸発促進処理において、制御装置１００は、外扉３の累積開放時間が所定時間に達した場合又は外扉３の開回数が所定回数に達した場合に、圧縮機ＣＯＭの動作とは無関係に室外ファンＦ４を運転（連続運転又は間欠運転）させるようにしている。しかし、これに限られるものではない。制御装置１００は、外扉３の累積開放時間が所定時間に達し、かつ、外扉３の開回数が所定回数に達した場合に、圧縮機ＣＯＭの動作とは無関係に室外ファンＦ４を運転（連続運転又は間欠運転）させるようにしてもよい。
【００４３】
〔第２蒸発促進処理〕
制御装置１００は、扉開閉センサ１０４の検出信号に基づいて商品室ＳＲ１〜ＳＲ３と外部との連通状態（ここでは、外扉３が開放されたこと）を検知すると、各商品室ＳＲ１〜ＳＲ３の室内温度Ｔ１〜Ｔ３を監視する。そして、制御装置１００は、外部との連通によって、前記冷却室に設定された商品室の室内温度がその設定温度（冷却温度）よりも高い所定温度まで上昇した場合及び／又は前記加温室に設定された商品室の室内温度がその設定温度（加温温度）よりも低い所定温度まで低下した場合に、圧縮機ＣＯＭの動作とは無関係に室外ファンＦ４を運転させる。なお、各商品室ＳＲ１〜ＳＲ３の室内温度Ｔ１〜Ｔ３は、各商品室ＳＲ１〜ＳＲ３と外部との連通時間の相関値に相当する。
【００４４】
図７Ａ〜図７Ｃは、第２蒸発促進処理を示すフローチャートである。このフローは、扉開閉センサ１０４の検出信号に基づき外扉３が開かれたことが検知されると、商品室ＳＲ１〜ＳＲ３のそれぞれについて実行される。以下の説明において、商品室ＳＲｎは、商品室ＳＲ１〜ＳＲ３のいずれかを示している。
【００４５】
ステップＳ２１では、商品室ＳＲｎが前記冷却室に設定されているか否かを判断する。商品室ＳＲｎが前記冷却室に設定されていなければステップＳ２２に進み、商品室ＳＲｎが前記冷却室に設定されていればステップＳ２３に進む。
【００４６】
ステップＳ２２では、商品室ＳＲｎが前記加温室に設定されているか否かを判断する。商品室ＳＲｎが前記加温室に設定されていればステップＳ３０に進み、商品室ＳＲｎが前記加温室に設定されていなければ本フローを終了する。
【００４７】
ステップＳ２３では、室内温度センサ１０１〜１０３のいずれかの検出信号に基づいて商品室ＳＲｎの室内温度Ｔｎを検知する。
【００４８】
ステップＳ２４では、商品室ＳＲｎの室内温度Ｔｎが第１所定温度Ｔｔｈ１まで上昇したか否かを判断する。商品室ＳＲｎの室内温度Ｔｎが第１所定温度Ｔｔｈ１まで上昇していなければ（Ｔｎ＜Ｔｔｈ１であれば）ステップＳ２５に進み、商品室ＳＲｎの室内温度Ｔｎが第１所定温度Ｔｔｈ１まで上昇していれば（Ｔｎ≧Ｔｔｈ１であれば）ステップＳ２６に進む。第１所定温度Ｔｔｈ１は、商品室ＳＲｎの設定温度（冷却温度）よりも高い温度であり、商品室ＳＲｎの設定温度（冷却温度）及び／又は商品室ＳＲｎの大きさなどに基づいて任意に設定可能である。したがって、第１所定温度Ｔｔｈ１は、商品室ごとに異なる値に設定され得る。もちろん、第１所定温度Ｔｔｈ１は、各商品室の共通の値に設定されてもよい。
【００４９】
ステップＳ２５では、外扉３が閉じられたか否か（換言すれば、商品室ＳＲｎと外部との連通状態が解除されたか否か）を判断する。外扉３が閉じられていなければステップＳ２３に戻り、外扉３が閉じられていれば本フローを終了する。
【００５０】
ステップＳ２６では、ステップＳ２５と同様、外扉３が閉じられたか否かを判断する。そして、外扉３が閉じられるとステップＳ２７に進む。なお、第１蒸発促進処理と同様、制御装置１００は、外扉３が閉じられると、通常、圧縮機ＣＯＭを動作させると共に、室内ファンＦ１〜Ｆ３の少なくとも一つ及び室外ファンＦ４を運転させる。
【００５１】
ステップＳ２７で、室内温度センサ１０１〜１０３のいずれかの検出信号に基づいて商品室ＳＲｎの室内温度Ｔｎを検知する。
【００５２】
ステップＳ２８では、ステップＳ２７で検知された商品室ＳＲｎの室内温度Ｔｎに基づいて、圧縮機ＣＯＭの動作とは無関係に室外ファンＦ４を運転させる時間である室外ファンＦ４の第２強制運転時間を設定する。前記第２強制運転時間は、例えばステップＳ２７で検知された商品室ＳＲｎの室内温度Ｔｎが高いほど、長い時間に設定される。
【００５３】
ステップＳ２９では、圧縮機ＣＯＭの停止後に、前記第２強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第２強制運転時間の設定後、速やかに室外ファンＦ４を運転させる。これにより、圧縮機ＣＯＭが停止中であっても少なくとも前記第２強制運転時間はドレン水処理ユニット６０（特に、蒸発シート６２）に対する送風が行われることとなり、ドレンパン６１内のドレン水の蒸発が促進される。
【００５４】
ここで、ステップＳ２７が省略されてもよい。この場合、前記第２強制運転時間は、あらかじめ定められた一定時間とされ得る。あるいは、ステップＳ２７において、商品室ＳＲｎの室内温度Ｔｎに代えて外気温度Ｔａ及び／又は外気湿度Ｈａを検知したり、外扉３の開放時間を算出したりしてもよい。この場合、ステップＳ２８において、前記第２強制運転時間は、外気温度Ｔａが高いほど、外気湿度Ｈａが高いほど及び／又は外扉３の開放時間が長いほど、長い時間に設定され得る。
【００５５】
ステップＳ３０では、室内温度センサ１０１〜１０３のいずれかの検出信号に基づいて商品室ＳＲｎの室内温度Ｔｎを検知する。
【００５６】
ステップＳ３１では、商品室ＳＲｎの室内温度Ｔｎが第２所定温度Ｔｔｈ２まで低下したか否かを判断する。商品室ＳＲｎの室内温度Ｔｎが第２所定温度Ｔｔｈ２まで低下していなければ（Ｔｎ＞Ｔｔｈ２であれば）ステップＳ３２に進み、商品室ＳＲｎの室内温度Ｔｎが第２所定温度Ｔｔｈ２まで低下していれば（Ｔｎ≦Ｔｔｈ２であれば）ステップＳ３３に進む。第２所定温度Ｔｔｈ２は、商品室ＳＲｎの設定温度（加温温度）よりも低い温度であり、商品室ＳＲｎの設定温度（加温温度）及び／又は商品室ＳＲｎの大きさなどに基づいて任意に設定可能である。したがって、第２所定温度Ｔｔｈ２は、商品室ごとに異なる値に設定され得る。もちろん、第２所定温度Ｔｔｈ２は、各商品室の共通の値に設定されてもよい。
【００５７】
ステップＳ３２では、外扉３が閉じられたか否かを判断する。外扉３が閉じられていなければステップＳ３０に戻り、外扉３が閉じられていれば本フローを終了する。
【００５８】
ステップＳ３３では、ステップＳ３２と同様、外扉３が閉じられたか否かを判断する。そして、外扉３が閉じられるとステップＳ３４に進む。
【００５９】
ステップＳ３４では、室内温度センサ１０１〜１０３のいずれかの検出信号に基づいて商品室ＳＲｎの室内温度Ｔｎを検知する。
【００６０】
ステップＳ３５では、ステップＳ３４で検知された商品室ＳＲｎの室内温度Ｔｎに基づいて、圧縮機ＣＯＭの動作とは無関係に室外ファンＦ４を運転させる時間である室外ファンＦ４の第３強制運転時間を設定する。前記第３強制運転時間は、例えばステップＳ３４で検知された商品室ＳＲｎの室内温度Ｔｎが低いほど、長い時間に設定される。
【００６１】
ステップＳ３６では、圧縮機ＣＯＭの停止後に、前記第３強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第３強制運転時間の設定後、速やかに室外ファンＦ４を運転させる。これにより、圧縮機ＣＯＭが停止中であっても少なくとも前記第３強制運転時間はドレン水処理ユニット６０（特に、蒸発シート６２）に対する送風が行われることとなり、ドレンパン６１内のドレン水の蒸発が促進される。
【００６２】
ここで、ステップＳ３４が省略されてもよい。この場合、前記第３強制運転時間は、あらかじめ定められた一定時間とされ得る。あるいは、ステップＳ３４において、商品室ＳＲｎの室内温度Ｔｎに代えて外気温度Ｔａを検知し及び／又は外扉３の開放時間を算出してもよい。この場合、ステップＳ３５において、前記第３強制運転時間は、外気温度Ｔａが低いほど及び／又は外扉３の開放時間が長いほど、長い時間に設定され得る。
【００６３】
なお、上述の処理において、前記商品室ごとに前記第２強制運転時間及び／又は前記第３強制運転時間が異なる時間に設定された場合には、圧縮機ＣＯＭの停止後、最も長い強制運転時間、室外ファンＦ４が運転（連続運転又は間欠運転）される。
【００６４】
〔第３蒸発促進処理〕
制御装置１００は、扉開閉センサ１０４の検出信号に基づいて商品室ＳＲ１〜ＳＲ３と外部との連通状態（ここでは、外扉３が開放されたこと）を検知すると、各商品室ＳＲ１〜ＳＲ３の室内温度Ｔ１〜Ｔ３の変化を監視する。そして、制御装置１００は、外部と連通によって、前記冷却室又は前記加温室に設定された商品室の室内温度Ｔ１〜Ｔ３の変化量ΔＴ１〜Ｔ３が所定値に達した場合に、圧縮機ＣＯＭの動作とは無関係に室外ファンＦ４を運転させる。ここで、制御装置１００は、室内温度センサ１０１〜１０３の検出信号に基づいて検知した各商品室ＳＲ１〜ＳＲ３の室内温度Ｔ１〜Ｔ３を所定期間記憶しておくことができる。また、前記室内温度の変化量は、前記室内温度の上昇量（前記商品室が前記冷却室に設定されている場合）と、前記室内温度の低下量（前記商品室が前記加温室に設定されている場合）とを含む。なお、各商品室ＳＲ１〜ＳＲ３の室内温度Ｔ１〜Ｔ３の変化量は、各商品室ＳＲ１〜ＳＲ３と外部との連通時間の相関値に相当する。
【００６５】
図８Ａ〜図８Ｃは、第３蒸発促進処理を示すフローチャートである。このフローは、扉開閉センサ１０４の検出信号に基づき外扉３が開かれたことが検知されると、商品室ＳＲ１〜ＳＲ３のそれぞれについて実行される。以下の説明において、商品室ＳＲｎは、商品室ＳＲ１〜ＳＲ３のいずれかを示している。
【００６６】
ステップＳ４１、Ｓ４２は、前記第２蒸発促進処理におけるステップＳ２１、Ｓ２２と同じである。すなわち、制御装置１００は、商品室ＳＲｎが前記冷却室又は前記加温室に設定されているか否かを判断し、商品室ＳＲｎが前記冷却室に設定されていればステップＳ４３に進み、商品室ＳＲｎが前記加温室に設定されていればステップＳ５１に進む。
【００６７】
ステップＳ４３では、室内温度センサ１０１〜１０３のいずれかの検出信号に基づいて商品室ＳＲｎの室内温度Ｔｎを検知する。
【００６８】
ステップＳ４４では、外扉３が開かれる直前の商品室ＳＲｎの室内温度Ｔｎ０と、ステップＳ４３で検知された商品室ＳＲｎの室内温度Ｔｎとに基づいて、商品室ＳＲｎの室内温度Ｔｎの変化量（上昇量）ΔＴｎｉ（＝Ｔｎ−Ｔｎ０）を算出する。なお、商品室ＳＲｎの設定温度（冷却温度）ＴｎＳＴと、ステップＳ４３で検知された商品室ＳＲｎの室内温度Ｔｎとに基づいて、商品室ＳＲｎの室内温度Ｔｎの変化量（上昇量）ΔＴｎｉ（＝Ｔｎ−ＴｎＳＴ）を算出してもよい。
【００６９】
ステップＳ４５では、商品室ＳＲｎの室内温度Ｔｎの変化量（上昇量）ΔＴｎｉが第１所定値ΔＴｔｈ１に達したか否かを判断する。商品室ＳＲｎの室内温度Ｔｎの変化量（上昇量）ΔＴｎｉが第１所定値ΔＴｔｈ１に達していなければ（ΔＴｎｉ＜ΔＴｔｈ１であれば）ステップＳ４６に進み、商品室ＳＲｎの室内温度Ｔｎの変化量（上昇量）ΔＴｎｉが第１所定値ΔＴｔｈ１に達していれば（ΔＴｎｉ≧ΔＴｔｈ１であれば）ステップＳ４７に進む。第１所定値ΔＴｔｈ１は、商品室ＳＲｎの設定温度（冷却温度）及び／又は商品室ＳＲｎの大きさなどに基づいて任意に設定可能である。したがって、第１所定値ΔＴｔｈ１は、商品室ごとに異なる値に設定され得る。もちろん、第１所定値ΔＴｔｈ１は、各商品室の共通の値に設定されてもよい。
【００７０】
ステップＳ４６では、外扉３が閉じられたか否かを判断する。外扉３が閉じられていなければステップＳ４３に戻り、外扉３が閉じられていれば本フローを終了する。
【００７１】
ステップＳ４７では、ステップＳ４６と同様、外扉３が閉じられたか否かを判断する。そして、外扉３が閉じられるとステップＳ４８に進む。なお、第１蒸発促進処理と同様、制御装置１００は、外扉３が閉じられると、通常、圧縮機ＣＯＭを動作させると共に、室内ファンＦ１〜Ｆ３の少なくとも一つ及び室外ファンＦ４を運転させる。
【００７２】
ステップＳ４８では、室内温度センサ１０１〜１０３のいずれかの検出信号に基づいて商品室ＳＲｎの室内温度Ｔｎを検知する。
【００７３】
ステップＳ４９では、ステップＳ４８で検知された商品室ＳＲｎの室内温度Ｔｎに基づいて、圧縮機ＣＯＭの動作とは無関係に室外ファンＦ４を運転させる時間である室外ファンＦ４の第４強制運転時間を設定する。前記第４強制運転時間は、例えばステップ４８で検知された商品室ＳＲｎの室内温度Ｔｎが高いほど、長い時間に設定される。
【００７４】
ステップＳ５０では、圧縮機ＣＯＭの停止後に、前記第４強制運転時間、室外ファンＦ４を運転（連続運転又は間欠運転）させる。換言すれば、圧縮機ＣＯＭの停止後も室外ファンＦ４の運転を継続する。なお、外扉３が閉じられた後に室外ファンＦ４が停止状態にある場合には、前記第４強制運転時間の設定後、速やかに室外ファンＦ４を運転させる。これにより、圧縮機ＣＯＭが停止中であっても少なくとも前記第４強制運転時間はドレン水処理ユニット６０（特に、蒸発シート６２）に対する送風が行われることとなり、ドレンパン６１内のドレン水の蒸発が促進される。
【００７５】
ここで、ステップＳ４８が省略されてもよい。この場合、前記第４強制運転時間は、あらかじめ定められた一定時間とされ得る。あるいは、ステップＳ４８において、商品室ＳＲｎの室内温度Ｔｎに代えて外気温度Ｔａ及び／又は外気湿度Ｈａを検出したり、外扉３の開放時間を算出したりしてもよい。また、外扉３が開かれる直前の室内温度Ｔｎ０（又は設定温度ＴｎＳＴ）とステップＳ４８で検知された商品室ＳＲｎの室内温度Ｔｎとに基づいて商品室ＳＲｎの室内温度Ｔｎの変化量（上昇量）ΔＴｎｉを算出してもよい。この場合、ステップＳ４９において、前記第４強制運転時間は、外気温度Ｔａが高いほど、外気湿度Ｈａが高いほど、外扉３の開放時間が長いほど及び／又は室内温度Ｔｎの変化量（上昇量）ΔＴｎｉが大きいほど、長い時間に設定され得る。
【００７６】
ステップＳ５１では、室内温度センサ１０１〜１０３のいずれかの検出信号に基づいて商品室ＳＲｎの室内温度Ｔｎを検知する。
【００７７】
ステップＳ５２では、外扉３が開かれる直前の商品室ＳＲｎの室内温度Ｔｎ０と、ステップＳ５１で検知された商品室ＳＲｎの室内温度Ｔｎとに基づいて、商品室ＳＲｎの室内温度Ｔｎの変化量（低下量）ΔＴｎｄ（＝Ｔｎ０−Ｔｎ）を算出する。なお、商品室ＳＲｎの設定温度（冷却温度）ＴｎＳＴと、ステップＳ５１で検知された商品室ＳＲｎの室内温度Ｔｎとに基づいて、商品室ＳＲｎの室内温度Ｔｎの変化量（低下量）ΔＴｎｄ（＝ＴｎＳＴ−Ｔｎ）を算出してもよい。
【００７８】
ステップＳ５３では、商品室ＳＲｎの室内温度Ｔｎの変化量（低下量）ΔＴｎｄが第２所定値ΔＴｔｈ２に達したか否かを判断する。商品室ＳＲｎの室内温度Ｔｎの変化量（低下量）ΔＴｎｄが第２所定値ΔＴｔｈ２に達していなければ（ΔＴｎｄ＜ΔＴｔｈ２であれば）ステップＳ５４に進み、商品室ＳＲｎの室内温度Ｔｎの変化量（低下量）ΔＴｎｄが第２所定値ΔＴｔｈ２に達していれば（ΔＴｎｄ≧ΔＴｔｈ２であれば）ステップＳ５５に進む。第２所定値ΔＴｔｈ２は、商品室ＳＲｎの設定温度（加温温度）及び／又は商品室ＳＲｎの大きさなどに基づいて任意に設定可能である。したがって、第２所定値ΔＴｔｈ２は、商品室ごとに異なる値に設定され得る。もちろん、第２所定値ΔＴｔｈ２は、各商品室の共通の値に設定されてもよい。
【００７９】
ステップＳ５４では、外扉３が閉じられたか否かを判断する。外扉３が閉じられていなければステップＳ５１に戻り、外扉３が閉じられていれば本フローを終了する。
【００８０】
ステップＳ５５では、ステップＳ５４と同様、外扉３が閉じられたか否かを判断する。そして、外扉３が閉じられるとステップＳ５６に進む。
【００８１】
ステップＳ５６では、室内温度センサ１０１〜１０３のいずれかの検出信号に基づいて商品室ＳＲｎの室内温度Ｔｎを検知する。
【００８２】
ステップＳ５７では、ステップＳ５６で検知された商品室ＳＲｎの室内温度Ｔｎに基づいて、圧縮機ＣＯＭの動作とは無関係に室外ファンＦ４を運転させる時間である室外ファンＦ４の第５強制運転時間を設定する。前記第５強制運転時間は、例えばステップ５６で検知された商品室ＳＲｎの室内温度Ｔｎが低いほど、長い時間に設定される。
【００８３】
ステップＳ５８では、圧縮機ＣＯＭの停止後に、前記第５強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第５強制運転時間の設定後、速やかに室外ファンＦ４を運転させる。これにより、圧縮機ＣＯＭが停止中であっても少なくとも前記第５強制運転時間はドレン水処理ユニット６０（特に、蒸発シート６２）に対する送風が行われることとなり、ドレンパン６１内のドレン水の蒸発が促進される。
【００８４】
ここで、ステップＳ５６が省略されてもよい。この場合、前記第５強制運転時間は、あらかじめ定められた一定時間とされ得る。あるいは、ステップＳ５６において、商品室ＳＲｎの室内温度Ｔｎに代えて外気温度Ｔａを検知し及び／又は外扉３の開放時間を算出してもよい。また、外扉３が開かれる直前の室内温度Ｔｎ０（又は設定温度ＴｎＳＴ）とステップＳ５６で検知された商品室ＳＲｎの室内温度Ｔｎとに基づいて商品室ＳＲｎの室内温度Ｔｎの変化量（低下量）ΔＴｎｄを算出してもよい。この場合、ステップＳ５７において、前記第５強制運転時間は、外気温度Ｔａが低いほど、外扉３の開放時間が長いほど及び／又は室内温度Ｔｎの変化量（低下量）ΔＴｎｄが大きいほど、長い時間に設定され得る。
【００８５】
なお、上述の処理において、前記商品室ごとに前記第４強制運転時間及び／又は前記第５強制運転時間が異なる時間に設定された場合には、圧縮機ＣＯＭの停止後、最も長い強制運転時間、室外ファンＦ４が運転（連続運転又は間欠運転）される。
【００８６】
〔第４蒸発促進処理〕
制御装置１００は、扉開閉センサ１０４の検出信号に基づいて商品室ＳＲ１〜ＳＲ３と外部との連通状態（ここでは、外扉３が開放されたこと）を検知すると、各商品室ＳＲ１〜ＳＲ３の室内湿度Ｈ１〜Ｈ３の変化を監視する。そして、制御装置１００は、外部との連通によって、前記冷却室又は前記加温室に設定された商品室の室内湿度が所定湿度まで上昇した場合に、圧縮機ＣＯＭの動作とは無関係に室外ファンＦ４を運転させる。前記冷却室に設定された商品室の室内湿度が上昇すると、当該商品室（冷却室）内に配置された前記室内熱交換器での結露水が増加するおそれがある。一方、前記加温室に設定された商品室の室内湿度が上昇する場合は、外気の湿度が高いと考えられるため、前記ドレン水が蒸発し難い状況にある可能性が高く、また、外部との連通によって商品室ＳＲ１〜ＳＲ３に流入する外気は、通常、前記加温室の設定温度より低温であるので、前記加温室に設定された商品室内を加温する必要が生じ、その結果、前記室外熱交換器での結露水が増加するおそれがある。そこで、制御装置１００は、外部との連通によって、前記冷却室又は前記加温室に設定された商品室の室内湿度が所定湿度まで上昇した場合に、圧縮機ＣＯＭの動作とは無関係に室外ファンＦ４を運転させて前記蒸発促進処理を実行する。なお、各商品室ＳＲ１〜ＳＲ２の室内湿度Ｈ１〜Ｈ３は、各商品室ＳＲ１〜ＳＲ３と外部との連通時間の相関値に相当する。
【００８７】
図９Ａ〜図９Ｃは、第４蒸発促進処理を示すフローチャートである。このフローは、扉開閉センサ１０４の検出信号に基づき外扉３が開かれたことが検知されると、商品室ＳＲ１〜ＳＲ３のそれぞれについて実行される。以下の説明において、商品室ＳＲｎは、商品室ＳＲ１〜ＳＲ３のいずれかを示している。
【００８８】
ステップＳ６１、Ｓ６２は、前記第２蒸発促進処理におけるステップＳ２１、Ｓ２２と同じである。すなわち、制御装置１００は、商品室ＳＲｎが前記冷却室又は前記加温室に設定されているか否かを判断し、商品室ＳＲｎが前記冷却室に設定されていればステップＳ６３に進み、商品室ＳＲｎが前記加温室に設定されていればステップＳ７０に進む。
【００８９】
ステップＳ６３では、室内湿度センサ１０６〜１０８のいずれかの検出信号に基づいて商品室ＳＲｎの室内湿度Ｈｎを検知する。
【００９０】
ステップＳ６４では、商品室ＳＲｎの室内湿度Ｈｎが第１所定湿度Ｈｔｈ１まで上昇したか否かを判断する。商品室ＳＲｎの室内湿度Ｈｎが第１所定湿度Ｈｔｈ１まで上昇していなければ（Ｈｎ＜Ｈｔｈ１であれば）ステップＳ６５に進み、商品室ＳＲｎの室内湿度Ｈｎが第１所定湿度Ｈｔｈ１まで上昇していれば（Ｈｎ≧Ｈｔｈ１であれば）ステップＳ６６に進む。第１所定湿度Ｈｔｈ１は、商品室ＳＲｎが前記冷却室に設定された場合の通常運転時の室内湿度よりも高い値であり、商品室ＳＲｎの設定温度（冷却温度）及び／又は商品室ＳＲｎの大きさなどに基づいて任意に設定可能である。したがって、第１所定湿度Ｈｔｈ１は、商品室ごとに異なる値に設定され得る。もちろん、第１所定湿度Ｈｔｈ１は、各商品室の共通の値に設定されてもよい。
【００９１】
ステップＳ６５では、外扉３が閉じられたか否かを判断する。外扉３が閉じられていなければステップＳ６３に戻り、外扉３が閉じられていれば本フローを終了する。
【００９２】
ステップＳ６６では、ステップＳ６５と同様、外扉３が閉じられたか否かを判断する。そして、外扉３が閉じられるとステップＳ６７に進む。なお、第１蒸発促進処理と同様、制御装置１００は、外扉３が閉じられると、通常、圧縮機ＣＯＭを動作させると共に、室内ファンＦ１〜Ｆ３の少なくとも一つ及び室外ファンＦ４を運転させる。
【００９３】
ステップＳ６７では、室内湿度センサ１０６〜１０８のいずれかの検出信号に基づいて商品室ＳＲｎの室内湿度Ｈｎを検知する。
【００９４】
ステップＳ６８では、ステップＳ６７で検知された商品室ＳＲｎの室内湿度Ｈｎに基づいて、圧縮機ＣＯＭの動作とは無関係に室外ファンＦ４を運転させる時間である室外ファンＦ４の第６強制運転時間を設定する。前記第６強制運転時間は、例えばステップ６７で検知された商品室ＳＲｎの室内湿度Ｈｎが高いほど、長い時間に設定される。
【００９５】
ステップＳ６９では、圧縮機ＣＯＭの停止後に、前記第６強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第６強制運転時間の設定後、速やかに室外ファンＦ４を運転させる。これにより、圧縮機ＣＯＭが停止中であっても少なくとも前記第６強制運転時間はドレン水処理ユニット６０（特に、蒸発シート６２）に対する送風が行われ、ドレンパン６１内のドレン水の蒸発が促進される。
【００９６】
ここで、ステップＳ６７が省略されてもよい。この場合、前記第６強制運転時間は、あらかじめ定められた一定時間とされ得る。あるいは、ステップＳ６７において、商品室ＳＲｎの室内湿度Ｈｎに代えて商品室ＳＲｎの室内温度Ｔｎ、外気温度Ｔａ及び／又は外気湿度Ｈａを検知したり、外扉３の開放時間を算出したりしてもよい。この場合、ステップＳ６８において、前記第６強制運転時間は、室内温度Ｔｎが高いほど、外気温度Ｔａが高いほど、外気湿度Ｈａが高いほど及び／又は外扉３の開放時間が長いほど、長い時間に設定され得る。
【００９７】
ステップＳ７０では、室内湿度センサ１０６〜１０８のいずれかの検出信号に基づいて商品室ＳＲｎの室内湿度Ｈｎを検知する。
【００９８】
ステップＳ７１では、商品室ＳＲｎの室内湿度Ｈｎが第２所定湿度Ｈｔｈ２まで上昇したか否かを判断する。商品室ＳＲｎの室内湿度Ｈｎが第２所定湿度Ｈｔｈ２まで上昇していなければ（Ｈｎ＜Ｈｔｈ２であれば）ステップＳ７２に進み、商品室ＳＲｎの室内湿度Ｈｎが第２所定湿度Ｈｔｈ２まで上昇していれば（Ｈｎ≧Ｈｔｈ２であれば）ステップＳ７３に進む。第２所定湿度Ｈｔｈ２は、商品室ＳＲｎが前記加温室に設定された場合の通常運転時の室内湿度よりも高い値であり、商品室ＳＲｎの設定温度（加温温度）及び／又は商品室ＳＲｎの大きさなどに基づいて任意に設定可能である。したがって、第２所定湿度Ｈｔｈ２は、商品室ごとに異なる値に設定され得る。もちろん、第２所定湿度Ｈｔｈ２は、各商品室の共通の値に設定されてもよい。
【００９９】
ステップＳ７２では、外扉３が閉じられたか否かを判断する。外扉３が閉じられていなければステップＳ７０に戻り、外扉３が閉じられていれば本フローを終了する。
【０１００】
ステップＳ７３では、ステップＳ７２と同様、外扉３が閉じられたか否かを判断する。そして、外扉３が閉じられるとステップＳ７４に進む。なお、第１蒸発促進処理と同様、制御装置１００は、外扉３が閉じられると、通常、圧縮機ＣＯＭを動作させると共に、室内ファンＦ１〜Ｆ３の少なくとも一つ及び室外ファンＦ４を運転させる。
【０１０１】
ステップＳ７４では、室内湿度センサ１０６〜１０８のいずれかの検出信号に基づいて商品室ＳＲｎの室内湿度Ｈｎを検知する。
【０１０２】
ステップＳ７５では、ステップＳ７４で検知された商品室ＳＲｎの室内湿度Ｈｎに基づいて、圧縮機ＣＯＭの動作とは無関係に室外ファンＦ４を運転させる時間である室外ファンＦ４の第７強制運転時間を設定する。前記第７強制運転時間は、例えばステップ７４で検知された商品室ＳＲｎの室内湿度Ｈｎが高いほど、長い時間に設定される。商品室ＳＲｎの室内湿度Ｈｎが高くなるのは、外気が商品室ＳＲｎ内に流入したためであり、流入する外気は、通常、商品室（加温室）ＳＲｎの室内温度Ｔｎよりも低い。したがって、商品室ＳＲｎの室内湿度Ｈｎが高いほど、外気湿度Ｈａが高い及び／又は商品室ＳＲｎの室内温度Ｔｎが低下している可能性があり、前記室外熱交換器における結露水が増加するおそれがある。そのため、前記第７強制運転時間は、例えばステップ７４で検知された商品室ＳＲｎの室内湿度Ｈｎが高いほど、長い時間に設定される。
【０１０３】
ステップＳ７６では、圧縮機ＣＯＭの停止後に、前記第７強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第７強制運転時間の設定後、速やかに室外ファンＦ４を運転させる。これにより、圧縮機ＣＯＭが停止中であっても少なくとも前記第７強制運転時間はドレン水処理ユニット６０（特に、蒸発シート６２）に対する送風が行われ、ドレンパン６１内のドレン水の蒸発が促進される。
【０１０４】
ここで、ステップＳ７４が省略されてもよい。この場合、前記第７強制運転時間は、あらかじめ定められた一定時間とされ得る。あるいは、ステップＳ７４において、商品室ＳＲｎの室内湿度Ｈｎに代えて商品室ＳＲｎの室内温度Ｔｎ、外気温度Ｔａ及び／又は外気湿度Ｈａを検知したり、外扉３の開放時間を算出したりしてもよい。この場合、ステップＳ７５において、前記第７強制運転時間は、室内温度Ｔｎが低いほど、外気温度Ｔａが低いほど、外気湿度Ｈａが高いほど及び／又は外扉３の開放時間が長いほど、長い時間に設定され得る。
【０１０５】
なお、上述の処理において、前記商品室ごとに前記第６強制運転時間及び／又は前記第７強制運転時間が異なる時間に設定された場合には、圧縮機ＣＯＭの停止後、最も長い強制運転時間、室外ファンＦ４が運転（連続運転又は間欠運転）される。
【０１０６】
〔第５蒸発促進処理〕
制御装置１００は、扉開閉センサ１０４の検出信号に基づいて商品室ＳＲ１〜ＳＲ３と外部との連通状態（外扉３が開放されたこと）を検知すると、各商品室ＳＲ１〜Ｓの室内湿度の変化を監視する。そして、制御装置１００は、外部との連通によって、前記冷却室又は前記加温室に設定された商品室の室内湿度の変化量（上昇量）が所定値に達した場合に、圧縮機ＣＯＭの動作とは無関係に室外ファンＦ４を運転させる。ここで、制御装置１００は、室内湿度センサ１０６〜１０８の検出信号に基づいて検知した各商品室ＳＲ１〜ＳＲ３の室内湿度Ｈ１〜Ｈ３を所定期間記憶しておくことができる。なお、各商品室ＳＲ１〜ＳＲ３の室内湿度の変化量（上昇量）は、各商品室ＳＲ１〜ＳＲ３と外部との連通時間の相関値に相当する。
【０１０７】
図１０Ａ〜図１０Ｃは、第５蒸発促進処理を示すフローチャートである。このフローは、扉開閉センサ１０４の検出信号に基づき外扉３が開かれたことが検知されると、商品室ＳＲ１〜ＳＲ３のそれぞれについて実行される。なお、以下の説明において、商品室ＳＲｎは、商品室ＳＲ１〜ＳＲ３のいずれかを示している。
【０１０８】
ステップＳ８１、Ｓ８２は、前記第２蒸発促進処理におけるステップＳ２１、Ｓ２２と同じである。すなわち、制御装置１００は、商品室ＳＲｎが前記冷却室又は前記加温室に設定されているか否かを判断し、商品室ＳＲｎが前記冷却室に設定されていればステップＳ８３に進み、商品室ＳＲｎが前記加温室に設定されていればステップＳ９１に進む。
【０１０９】
ステップ８３では、室内湿度センサ１０６〜１０８のいずれかの検出信号に基づいて商品室ＳＲｎの室内湿度Ｈｎを検知する。
【０１１０】
ステップＳ８４では、外扉３が開かれる直前の商品室ＳＲｎの室内湿度Ｈｎ０と、ステップＳ８３で検知された商品室ＳＲｎの室内湿度Ｈｎとに基づいて、商品室ＳＲｎの室内湿度Ｈｎの第１変化量（上昇量）ΔＨｎ１（＝Ｈｎ−Ｈｎ０）を算出する。なお、商品室ＳＲｎが前記冷却室に設定された場合の通常運転時の室内湿度ＨｎＳＴ１と、ステップＳ８３で検知された商品室ＳＲｎの室内湿度Ｈｎとに基づいて、商品室ＳＲｎの室内湿度Ｈｎの第１変化量（上昇量）ΔＨｎ１（＝Ｈｎ−ＨｎＳＴ１）を算出してもよい。
【０１１１】
ステップＳ８５では、商品室ＳＲｎの室内湿度Ｈｎの第１変化量ΔＨｎ１が第１所定値ΔＨｔｈ１に達したか否かを判断する。商品室ＳＲｎの室内湿度Ｈｎの第１変化量ΔＨｎ１が第１所定値ΔＨｔｈ１に達していなければ（ΔＨｎ１＜ΔＨｔｈ１であれば）ステップＳ８６に進み、商品室ＳＲｎの室内湿度Ｈｎの第１変化量ΔＨｎ１が第１所定値ΔＨｔｈ１に達していれば（ΔＨｎ１≧ΔＨｔｈ１であれば）ステップＳ８７に進む。第１所定値ΔＨｔｈ１は、商品室ＳＲｎの設定温度（冷却温度）及び／又は商品室ＳＲｎの大きさなどに基づいて任意に設定可能である。したがって、第１所定値ΔＨｔｈ１は商品室ごとに異なる値に設定され得る。もちろん、第１所定値ΔＨｔｈ１は、各商品室の共通の値に設定されてもよい。
【０１１２】
ステップＳ８６では、外扉３が閉じられたか否かを判断する。外扉３が閉じられていなければステップＳ８３に戻り、外扉３が閉じられていれば本フローを終了する。
【０１１３】
ステップＳ８７では、ステップＳ８６と同様、外扉３が閉じられたか否かを判断する。そして、外扉３が閉じられるとステップＳ８８に進む。なお、第１蒸発促進処理と同様、制御装置１００は、外扉３が閉じられると、通常、圧縮機ＣＯＭを動作させると共に、室内ファンＦ１〜Ｆ３の少なくとも一つ及び室外ファンＦ４を運転させる。
【０１１４】
ステップＳ８８では、室内湿度センサ１０６〜１０８のいずれかの検出信号に基づいて商品室ＳＲｎの室内湿度Ｈｎを検知する。
【０１１５】
ステップＳ８９では、ステップＳ８８で検知された商品室ＳＲｎの室内湿度Ｈｎに基づいて、圧縮機ＣＯＭの動作とは無関係に室外ファンＦ４を運転させる時間である室外ファンＦ４の第８強制運転時間を設定する。前記第８強制運転時間は、例えばステップ８８で検知された商品室ＳＲｎの室内湿度Ｈｎが高いほど、長い時間に設定される。
【０１１６】
ステップＳ９０では、圧縮機ＣＯＭの停止後に、前記第８強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第８強制運転時間の設定後、速やかに室外ファンＦ４を運転させる。これにより、圧縮機ＣＯＭが停止中であっても少なくとも前記第８強制運転時間はドレン水処理ユニット６０（特に、蒸発シート６２）に対する送風が行われ、ドレンパン６１内のドレン水の蒸発が促進される。
【０１１７】
ここで、ステップＳ８８が省略されてもよい。この場合、前記第８強制運転時間は、あらかじめ定められた一定時間とされ得る。あるいは、ステップＳ８８において、商品室ＳＲｎの室内湿度Ｈｎに代えて商品室ＳＲｎの室内温度Ｔｎ、外気温度Ｔａ及び／又は外気湿度Ｈａを検知したり、外扉３の開放時間を算出したりしてもよい。また、外扉３が開かれる直前の室内湿度Ｈｎ０（又は通常運転時の室内湿度ＨｎＳＴ）とステップＳ８８で検知された商品室ＳＲｎの室内湿度Ｈｎとに基づいて商品室ＳＲｎの室内湿度Ｈｎの変化量（上昇量）ΔＨｎを算出してもよい。この場合、ステップＳ８９において、前記第８強制運転時間は、室内温度Ｔｎが高いほど、外気温度Ｔａが高いほど、外気湿度Ｈａが高いほど、外扉３の開放時間が長いほど及び／又は室内湿度Ｈｎの変化量（上昇量）ΔＨｎが大きいほど、長い時間に設定され得る。
【０１１８】
ステップ９１では、室内湿度センサ１０６〜１０８のいずれかの検出信号に基づいて商品室ＳＲｎの室内湿度Ｈｎを検知する。
【０１１９】
ステップＳ９２では、外扉３が開かれる直前の商品室ＳＲｎの室内湿度Ｈｎ０と、ステップＳ９１で検知された商品室ＳＲｎの室内湿度Ｈｎとに基づいて、商品室ＳＲｎの室内湿度Ｈｎの第２変化量（上昇量）ΔＨｎ２（＝Ｈｎ−Ｈｎ０）を算出する。なお、商品室ＳＲｎが前記加温室に設定された場合の通常運転時の室内湿度ＨｎＳＴ２と、ステップＳ９２で検知された商品室ＳＲｎの室内湿度Ｈｎとに基づいて、商品室ＳＲｎの室内湿度Ｈｎの第２変化量（上昇量）ΔＨｎ２（＝Ｈｎ−ＨｎＳＴ２）を算出してもよい。
【０１２０】
ステップＳ９３では、商品室ＳＲｎの室内湿度Ｈｎの第２変化量ΔＨｎ２が第２所定値ΔＨｔｈ２に達したか否かを判断する。商品室ＳＲｎの室内湿度Ｈｎの第２変化量ΔＨｎ２が第２所定値ΔＨｔｈ２に達していなければ（ΔＨｎ２＜ΔＨｔｈ２であれば）ステップＳ９４に進み、商品室ＳＲｎの室内湿度Ｈｎの第２変化量ΔＨｎ２が第２所定値ΔＨｔｈ２に達していれば（ΔＨｎ２≧ΔＨｔｈ２であれば）ステップＳ９５に進む。第２所定値ΔＨｔｈ２は、商品室ＳＲｎの設定温度（加温温度）及び／又は商品室ＳＲｎの大きさなどに基づいて任意に設定可能である。したがって、第２所定値ΔＨｔｈ２は商品室ごとに異なる値に設定され得る。もちろん、第２所定値ΔＨｔｈ２は、各商品室の共通の値に設定されてもよい。
【０１２１】
ステップＳ９４では、外扉３が閉じられたか否かを判断する。外扉３が閉じられていなければステップＳ９１に戻り、外扉３が閉じられていれば本フローを終了する。
【０１２２】
ステップＳ９５では、ステップＳ９４と同様、外扉３が閉じられたか否かを判断する。そして、外扉３が閉じられるとステップＳ９６に進む。なお、第１蒸発促進処理と同様、制御装置１００は、外扉３が閉じられると、通常、圧縮機ＣＯＭを動作させると共に、室内ファンＦ１〜Ｆ３の少なくとも一つ及び室外ファンＦ４を運転させる。
【０１２３】
ステップＳ９６では、室内湿度センサ１０６〜１０８のいずれかの検出信号に基づいて商品室ＳＲｎの室内湿度Ｈｎを検知する。
【０１２４】
ステップＳ９７では、ステップＳ９６で検知された商品室ＳＲｎの室内湿度Ｈｎに基づいて、圧縮機ＣＯＭの動作とは無関係に室外ファンＦ４を運転させる時間である室外ファンＦ４の第９強制運転時間を設定する。前記第９強制運転時間は、例えばステップ９６で検知された商品室ＳＲｎの室内湿度Ｈｎが高いほど、長い時間に設定される。第４実施形態におけるステップＳ７５の場合と同様、商品室ＳＲｎ内の加温に要する時間が長くなって、前記室外熱交換器における結露水が増加するおそれがあるからである。
【０１２５】
ステップＳ９８では、圧縮機ＣＯＭの停止後に、前記第９強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第９強制運転時間の設定後、速やかに室外ファンＦ４を運転させる。これにより、圧縮機ＣＯＭが停止中であっても少なくとも前記第９強制運転時間はドレン水処理ユニット６０（特に、蒸発シート６２）に対する送風が行われ、ドレンパン６１内のドレン水の蒸発が促進される。
【０１２６】
ここで、ステップＳ９６が省略されてもよい。この場合、前記第９強制運転時間は、あらかじめ定められた一定時間とされ得る。あるいは、ステップＳ９６において、商品室ＳＲｎの室内湿度Ｈｎに代えて商品室ＳＲｎの室内温度Ｔｎ、外気温度Ｔａ及び／又は外気湿度Ｈａを検知したり、外扉３の開放時間を算出したりしてもよい。また、外扉３が開かれる直前の室内湿度Ｈｎ０（又は通常運転時の室内湿度ＨｎＳＴ）とステップＳ９６で検知された商品室ＳＲｎの室内湿度Ｈｎとに基づいて商品室ＳＲｎの室内湿度Ｈｎの変化量（上昇量）ΔＨｎを算出してもよい。この場合、ステップＳ９７において、前記第９強制運転時間は、室内温度Ｔｎが低いほど、外気温度Ｔａが低いほど、外気湿度Ｈａが高いほど、外扉３の開放時間が長いほど及び／又は室内湿度Ｈｎの変化量（上昇量）ΔＨｎが大きいほど、長い時間に設定され得る。
【０１２７】
なお、上述の処理において、前記商品室ごとに前記第８強制運転時間及び／又は前記第９強制運転時間が異なる時間に設定された場合には、圧縮機ＣＯＭの停止後、最も長い強制運転時間、室外ファンＦ４が運転（連続運転又は間欠運転）される。
【０１２８】
〔第６蒸発促進処理〕
制御装置１００は、扉開閉センサ１０４の検出信号に基づいて商品室ＳＲ１〜ＳＲ３と外部との連通状態（外扉３が開放されたこと）を検知すると、外気温度Ｔａを検出する。そして、制御装置１００は、少なくとも一つの商品室が前記冷却室に設定されており、かつ、外気温度Ｔａが前記冷却室に設定された商品室の設定温度（冷却温度）よりも高い所定温度以上である場合、又は、少なくとも一つの商品室が前記加温室に設定されており、かつ、外気温度Ｔａが前記加温室に設定された商品室の設定温度（加温温度）よりも低い所定温度以下である場合に、圧縮機ＣＯＭの動作とは無関係に室外ファンＦ４を運転させる。
【０１２９】
図１１は、第６蒸発促進処理を示すフローチャートである。このフローは、扉開閉センサ１０４の検出信号に基づき外扉３が開かれたことが検知されると、商品室ＳＲ１〜ＳＲ３のそれぞれについて実行される。以下の説明において、商品室ＳＲｎは、商品室ＳＲ１〜ＳＲ３のいずれかを示している。
【０１３０】
ステップＳ１０１、Ｓ１０２は、前記第２蒸発促進処理におけるステップＳ２１、Ｓ２２と同じである。すなわち、制御装置１００は、商品室ＳＲｎが前記冷却室又は前記加温室に設定されているか否かを判断し、商品室ＳＲｎが前記冷却室に設定されていればステップＳ１０３に進み、商品室ＳＲｎが前記加温室に設定されていればステップＳ１０９に進む。
【０１３１】
ステップＳ１０３では、外気温度センサ１０５の検出信号に基づいて外気温度Ｔａを検知する。
【０１３２】
ステップＳ１０４では、外気温度Ｔａが第３所定温度Ｔｔｈ３以上であるか否かを判断する。外気温度Ｔａが第３所定温度Ｔｔｈ３以上であれば（Ｔａ≧Ｔｔｈ３であれば）ステップＳ１０５に進み、外気温度Ｔａが第３所定温度Ｔｔｈ３未満であれば（Ｔａ＜Ｔｔｈ３であれば）本フローを終了する。第３所定温度Ｔｔｈ３は、商品室ＳＲｎの設定温度（冷却温度）よりも高い温度であり、商品室ＳＲｎの設定温度（冷却温度）及び／又は商品室ＳＲｎの大きさなどに基づいて任意に設定可能である。したがって、第３所定温度Ｔｔｈ３は、商品室ごとに異なる値に設定され得る。もちろん、第３所定温度Ｔｔｈ３は、各商品室の共通の値に設定されてもよい。
【０１３３】
ステップＳ１０５では、外扉３が閉じられたか否かを判断する。そして、外扉３が閉じられるとステップＳ１０６に進み、外扉３の開放時間を算出する。なお、前記第１蒸発促進処理と同様、制御装置１００は、外扉３が閉じられると、通常、圧縮機ＣＯＭを動作させると共に、室内ファンＦ１〜Ｆ３の少なくとも一つ及び室外ファンＦ４を運転させる。
【０１３４】
ステップＳ１０７では、ステップＳ１０６で算出された外扉３の開放時間に基づいて、圧縮機ＣＯＭの動作とは無関係に室外ファンＦ４を運転させる時間である室外ファンＦ４の第１０強制運転時間を設定する。前記第１０強制運転時間は、例えば、ステップ１０６で算出された外扉３の開放時間が長いほど、長い時間に設定される。
【０１３５】
ステップＳ１０８では、圧縮機ＣＯＭの停止後に、前記第１０強制運転時間、室外ファンＦ４を運転（連続運転又は間欠運転）させる。換言すれば、圧縮機ＣＯＭの停止後も室外ファンＦ４の運転を継続する。なお、外扉３が閉じられた後に室外ファンＦ４が停止状態にある場合には、前記第１０強制運転時間の設定後、速やかに室外ファンＦ４を運転させる。これにより、圧縮機ＣＯＭが停止中であっても少なくとも前記第１０強制運転時間はドレン水処理ユニット６０（特に、蒸発シート６２）に対する送風が行われ、ドレンパン６１内のドレン水の蒸発が促進される。
【０１３６】
ここで、ステップＳ１０６が省略されてもよい。この場合、前記第１０強制運転時間は、あらかじめ定められた一定時間とされ、又は、ステップＳ１０３で検知された外気温度Ｔａが高いほど長い値に設定され得る。また、ステップＳ１０７において、ステップＳ１０３で検知された外気温度Ｔａ及びステップＳ１０６で算出された外扉３の開放時間に基づいて第１０強制運転時間を設定してもよい。この場合、第１０強制運転時間は、ステップＳ１０３で検知された外気温度Ｔａが高いほど、ステップ１０６で算出された外扉３の開放時間が長いほど、長い値に設定され得る。さらに、ステップＳ１０７において、ステップＳ９６で算出された外扉３の開放時間が所定時間以上である場合に、前記第１０強制運転時間が設定されてもよい。
【０１３７】
ステップＳ１０９では、ステップＳ１０３と同様、外気温度センサ１０５の検出信号に基づいて外気温度Ｔａを検知する。
【０１３８】
ステップＳ１１０では、外気温度Ｔａが第４所定温度Ｔｔｈ４以下であるか否かを判断する。外気温度Ｔａが第４所定温度Ｔｔｈ４以下であれば（Ｔａ≦Ｔｔｈ４であれば）ステップＳ１１１に進み、外気温度Ｔａが第４所定温度Ｔｔｈ４を超えていれば（Ｔａ＞Ｔｔｈ４であれば）本フローを終了する。第４所定温度Ｔｔｈ４は、商品室ＳＲｎの設定温度（加温温度）よりも低い温度であり、商品室ＳＲｎの設定温度（加温温度）及び／又は商品室ＳＲｎの大きさなどに基づいて任意に設定可能である。したがって、第４所定温度Ｔｔｈ４は、商品室ごとに異なる値に設定され得る。もちろん、第４所定温度Ｔｔｈ３は、各商品室の共通の値に設定されてもよい。
【０１３９】
ステップＳ１１１では、外扉３が閉じられたか否かを判断する。そして、外扉３が閉じられるとステップＳ１１２に進み、外扉３の開放時間を算出する。
【０１４０】
ステップＳ１１３では、ステップＳ１１２で算出された外扉３の開放時間に基づいて、圧縮機ＣＯＭの動作とは無関係に室外ファンＦ４を運転させる時間である室外ファンＦ４の第１１強制運転時間を設定する。前記第１１強制運転時間は、例えばステップＳ１１２で算出された外扉３の開放時間が長いほど、長い時間に設定される。
【０１４１】
ステップＳ１１４では、圧縮機ＣＯＭの停止後に、前記第１１強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第１１強制運転時間の設定後、速やかに室外ファンＦ４を運転させる。これにより、圧縮機ＣＯＭが停止中であっても少なくとも前記第１１強制運転時間はドレン水処理ユニット６０（特に、蒸発シート６２）に対する送風が行われ、ドレンパン６１内のドレン水の蒸発が促進される。
【０１４２】
ここで、ステップＳ１１２が省略されてもよい。この場合、前記第１１強制運転時間は、あらかじめ定められた一定時間とされ、又は、ステップＳ１０９で検知された外気温度Ｔａが低いほど長い値に設定され得る。また、ステップＳ１１３において、ステップＳ１０９で検知された外気温度Ｔａ及びステップＳ１１２で算出された外扉３の開放時間に基づいて第１１強制運転時間を設定してもよい。この場合、第１１強制運転時間は、ステップＳ１０９で検知された外気温度Ｔａが低いほど、ステップ１１３で算出された外扉３の開放時間が長いほど、長い値に設定され得る。さらに、ステップＳ１１３において、ステップＳ１１２で算出された外扉３の開放時間が所定時間以上である場合に、前記第１１強制運転時間が設定されてもよい。
【０１４３】
なお、上述の処理において、前記商品室ごとに前記第１０強制運転時間及び／又は前記第１１強制運転時間が異なる時間に設定された場合には、圧縮機ＣＯＭの停止後、最も長い強制運転時間、室外ファンＦ４が運転（連続運転又は間欠運転）される。
【０１４４】
〔第７蒸発促進処理〕
制御装置１００は、扉開閉センサ１０４の検出信号に基づいて商品室ＳＲ１〜ＳＲ３と外部との連通状態（外扉３が開放されたこと）を検知すると、外気湿度Ｈａを検出する。そして、制御装置１００は、外気湿度Ｈａが所定湿度以上である場合に、圧縮機ＣＯＭの動作とは無関係に室外ファンＦ４を運転させる。外気湿度Ｈａが高い場合は、前記ドレン水が蒸発し難い状況にある可能性が高い。また、商品室ＳＲ１〜ＳＲ３と外部との連通によって商品室ＳＲ１〜ＳＲ３には外気が流入するため、外気湿度Ｈａが高い場合、前記冷却室に設定された商品室においては、当該商品室（冷却室）内に配置された前記室内熱交換器における結露水が増加するおそれがある。さらに、前記加温室に設定された商品室に流入する外気は、通常、当該商品室（加温室）の設定温度よりも低温であるので、前記加温室に設定された商品室内を加温する必要が生じ、その結果、前記室外熱交換器における結露水が増加するおそれがある。そこで、制御装置１００は、商品室ＳＲ１〜ＳＲ３と外部との連通状態を検知し、かつ、外気湿度Ｈａが所定湿度以上である場合に、圧縮機ＣＯＭの動作とは無関係に室外ファンＦ４を運転させて前記蒸発促進処理を実行する。
【０１４５】
図１２は、第７蒸発促進処理を示すフローチャートである。このフローは、扉開閉センサ１０４の検出信号に基づき外扉３が開かれたことが検知されると、商品室ＳＲ１〜ＳＲ３のそれぞれについて実行される。以下の説明において、商品室ＳＲｎは、商品室ＳＲ１〜ＳＲ３のいずれかを示している。
【０１４６】
ステップＳ１２１、Ｓ１２２は、前記第２蒸発促進処理におけるステップＳ２１、Ｓ２２と同じである。すなわち、制御装置１００は、商品室ＳＲｎが前記冷却室又は前記加温室に設定されているか否かを判断し、商品室ＳＲｎが前記冷却室に設定されていればステップＳ１２３に進み、商品室ＳＲｎが前記加温室に設定されていればステップＳ１２９に進む。
【０１４７】
ステップＳ１２３では、外気湿度センサ１０９の検出信号に基づいて外気湿度Ｈａを検知する。
【０１４８】
ステップＳ１２４では、ステップＳ１２３で検知された外気湿度Ｈａが第３所定湿度Ｈｔｈ３以上であるか否かを判断する。外気湿度Ｈａが第３所定湿度Ｈｔｈ３以上であればステップＳ１２５に進み、外気湿度Ｈａが第３所定湿度Ｈｔｈ３未満であれば本フローを終了する。第３所定湿度Ｈｔｈ３は、商品室ＳＲｎが前記冷却室に設定された場合の通常運転時の室内湿度よりも高い値であり、商品室ＳＲｎの設定温度（冷却温度）及び／又は商品室ＳＲｎの大きさなどに基づいて任意に設定可能である。したがって、第３所定湿度Ｈｔｈ３は、商品室ごとに異なる値に設定され得る。もちろん、第３所定湿度Ｈｔｈ３は、各商品室の共通の値に設定されてもよい。
【０１４９】
ステップＳ１２５では、外扉３が閉じられたか否かを判断する。そして、外扉３が閉じられるとステップＳ１２６に進み、外扉３の開放時間を算出する。なお、前記第１蒸発促進処理と同様、制御装置１００は、外扉３が閉じられると、通常、圧縮機ＣＯＭを動作させると共に、室内ファンＦ１〜Ｆ３の少なくとも一つ及び室外ファンＦ４を運転させる。
【０１５０】
ステップＳ１２７では、ステップＳ１２６で算出された外扉３の開放時間に基づいて、圧縮機ＣＯＭの動作とは無関係に室外ファンＦ４を運転させる時間である室外ファンＦ４の第１２強制運転時間を設定する。前記第１２強制運転時間は、例えばステップＳ１１５で算出された外扉３の開放時間が長いほど、長い時間に設定される。
【０１５１】
ステップＳ１２８では、圧縮機ＣＯＭの停止後に、前記第１２強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第１２強制運転時間の設定後、速やかに室外ファンＦ４を運転させる。これにより、圧縮機ＣＯＭが停止中であっても少なくとも前記第１２強制運転時間はドレン水処理ユニット６０（特に、蒸発シート６２）に対する送風が行われ、ドレンパン６１内のドレン水の蒸発が促進される。
【０１５２】
ここで、ステップＳ１２６が省略されてもよい。この場合、前記第１２強制運転時間は、あらかじめ定められた一定時間とされ、又は、ステップＳ１２３で検知された外気湿度Ｈａが高いほど長い値に設定され得る。また、ステップＳ１２７において、ステップＳ１２３で検知された外気湿度Ｈａ及びステップＳ１２６で算出された外扉３の開放時間に基づいて第１２強制運転時間を設定してもよい。この場合、第１２強制運転時間は、ステップＳ１２３で検知された外気湿度Ｈａが高いほど、ステップ１２６で算出された外扉３の開放時間が長いほど、長い値に設定され得る。さらに、ステップＳ１２７において、ステップＳ１２６で算出された外扉３の開放時間が所定時間以上である場合に、前記第１２強制運転時間が設定されてもよい。
【０１５３】
ステップＳ１２９では、外気湿度センサ１０９の検出信号に基づいて外気湿度Ｈａを検知する。
【０１５４】
ステップＳ１３０では、ステップＳ１２９で検知された外気湿度Ｈａが第４所定湿度Ｈｔｈ４以上であるか否かを判断する。外気湿度Ｈａが第４所定湿度Ｈｔｈ４以上であればステップＳ１３１に進み、外気湿度Ｈａが第４所定湿度Ｈｔｈ４未満であれば本フローを終了する。第４所定湿度Ｈｔｈ４は、自動販売機１の設置場所（設置環境）などに基づいて任意に設定可能であり、各商品室に共通の値として設定される。第４所定湿度Ｈｔｈ４は、あらかじめ設定された固定値であってもよく、外気温度Ｔａに基づいて可変設定されてもよい。例えば、第４所定湿度Ｈｔｈ４は、外気温度Ｔａが高いほど低い値に設定され得る。
【０１５５】
ステップＳ１３１では、外扉３が閉じられたか否かを判断する。そして、外扉３が閉じられるとステップＳ１３２に進み、外扉３の開放時間を算出する。なお、前記第１蒸発促進処理と同様、制御装置１００は、外扉３が閉じられると、通常、圧縮機ＣＯＭを動作させると共に、室内ファンＦ１〜Ｆ３の少なくとも一つ及び室外ファンＦ４を運転させる。
【０１５６】
ステップＳ１３３では、ステップＳ１３２で算出された外扉３の開放時間に基づいて、圧縮機ＣＯＭの動作とは無関係に室外ファンＦ４を運転させる時間である室外ファンＦ４の第１３強制運転時間を設定する。前記第１３強制運転時間は、例えばステップＳ１３２で算出された外扉３の開放時間が長いほど、長い時間に設定される。
【０１５７】
ステップＳ１３４では、圧縮機ＣＯＭの停止後に、前記第１３強制運転時間、室外ファンＦ４を運転（連続運転又は間欠運転）させる。換言すれば、圧縮機ＣＯＭの停止後も室外ファンＦ４の運転を継続する。外扉３が閉じられた後に室外ファンＦ４が停止状態にある場合には、前記第１３強制運転時間の設定後、速やかに室外ファンＦ４を運転させる。これにより、圧縮機ＣＯＭが停止中であっても少なくとも前記第１３強制運転時間はドレン水処理ユニット６０（特に、蒸発シート６２）に対する送風が行われ、ドレンパン６１内のドレン水の蒸発が促進される。
【０１５８】
ここで、ステップＳ１３２が省略されてもよい。この場合、前記第１３強制運転時間は、あらかじめ定められた一定時間とされ、又は、ステップＳ１２９で検知された外気湿度Ｈａが高いほど長い値に設定され得る。また、ステップＳ１３３において、ステップＳ１２９で検知された外気湿度Ｈａ及びステップＳ１３２で算出された外扉３の開放時間に基づいて第１３強制運転時間を設定してもよい。この場合、第１３強制運転時間は、ステップＳ１２９で検知された外気湿度Ｈａが高いほど、ステップ１３２で算出された外扉３の開放時間が長いほど、長い値に設定され得る。さらに、ステップＳ１３３において、ステップＳ１３２で算出された外扉３の開放時間が所定時間以上である場合に、前記第１３強制運転時間が設定されてもよい。
【０１５９】
なお、上述の処理において、前記商品室ごとに前記第１２強制運転時間が異なる時間に設定された場合や前記第１２強制運転時間と前記１３強制運転時間とが異なる場合には、圧縮機ＣＯＭの停止後、最も長い強制運転時間、室外ファンＦ４が運転（連続運転又は間欠運転）される。
【０１６０】
〔第８蒸発促進処理〕
制御装置１００は、商品Ｐの搬出動作に基づいて商品室ＳＲ１〜ＳＲ３のいずれかと外部との連通状態（ここでは、搬出口シャッタ４４が開かれたこと）を検知すると、圧縮機ＣＯＭの動作とは無関係に室外ファンＦ４を運転させる（駆動する）。具体的には、制御装置１００は、そのカウンタ機能によって商品室ＳＲ１〜ＳＲ３ごとの商品搬出数（＝搬出口シャッタ４４の開回数）を計測し、商品室ＳＲ１〜ＳＲ３のいずれかの商品搬出数が所定数に達した場合に、圧縮機ＣＯＭの動作とは無関係に室外ファンＦ４を運転させる。なお、前記第１蒸発促進処理における外扉３の前記累積開放時間及び前記開回数と同様、商品室ＳＲ１〜ＳＲ３ごとの商品搬出数は、所定期間ごとに（例えば、数時間ごとに又は予め定められた少なくとも一つのリセット時刻に）リセット（ゼロクリア）される。また、商品室ＳＲ１〜ＳＲ３ごとの商品搬出数は、商品室ＳＲ１〜ＳＲ３と外部との連通時間の相関値に相当する。
【０１６１】
図１３は、第８蒸発促進処理を示すフローチャートである。このフローは、例えば商品Ｐが搬出される度に実行される。なお、以下の説明において、商品室ＳＲｎは、搬出された商品Ｐが収容されていた商品室（すなわち、商品室ＳＲ１〜ＳＲ３のいずれか）を示している。
【０１６２】
ステップＳ１４１では、商品室ＳＲｎの商品搬出数を１インクリメントする。
【０１６３】
ステップＳ１４２では、商品室ＳＲｎが前記冷却室に設定されているか否かを判断する。商品室ＳＲｎが前記冷却室に設定されていなければステップＳ１４３に進み、商品室ＳＲｎが前記冷却室に設定されていればステップＳ１４４に進む。
【０１６４】
ステップＳ１４３では、商品室ＳＲｎが前記加温室に設定されているか否かを判断する。商品室ＳＲｎが前記加温室に設定されていればステップＳ１４９に進み、商品室ＳＲｎが前記加温室に設定されていなければ本フローを終了する。
【０１６５】
ステップＳ１４４では、商品室ＳＲｎの商品搬出数が第１所定数に達したか否かを判断する。商品室ＳＲｎの商品搬出数が前記第１所定数に達していれば（商品室ＳＲｎの商品搬出数≧前記第１所定数であれば）ステップＳ１４５に進む。一方、商品室ＳＲｎの商品搬出数が前記第１所定数に達していなければ（商品室ＳＲｎの商品搬出数＜前記第１所定数であれば）本フローを終了する。前記第１所定数は、商品室ＳＲｎの設定温度（冷却温度）及び／又は商品室ＳＲｎの大きさなどに基づいて任意に設定可能である。したがって、第１所定数は、商品室ごとに異なる値に設定され得る。もちろん、第１所定数は、各商品室の共通の値に設定されてもよい。また、前記第１所定数は、外気温度Ｔａや外気湿度Ｈａに応じて可変設定されてもよい。この場合、第１所定数は、外気温度Ｔａが高いほど及び／又は外気湿度Ｈａが高いほど、小さい値に設定され得る。
【０１６６】
ステップＳ１４５では、室内温度センサ１０１〜１０３のいずれかの検出信号に基づいて商品室ＳＲｎの室内温度Ｔｎを検知する。
【０１６７】
ステップＳ１４６では、ステップＳ１４５で検知された商品室ＳＲｎの室内温度Ｔｎに基づいて、圧縮機ＣＯＭの動作とは無関係に室外ファンＦ４を運転させる時間である室外ファンＦ４の第１４強制運転時間を設定する。前記第１４強制運転時間は、例えばステップ１４５で検知された商品室ＳＲｎの室内温度Ｔｎが高いほど、長い時間に設定される。
【０１６８】
ステップＳ１４７では、圧縮機ＣＯＭの動作とは無関係に、第１４強制運転時間、室外ファンＦ４を運転（連続運転又は間欠運転）させる。すなわち、室外ファンＦ４が停止中であれば速やかに室外ファンＦ４を運転させ、圧縮機ＣＯＭの動作に伴って室外ファンＦ４が運転されていれば、圧縮機ＣＯＭの停止後においても室外ファンＦ４を継続して運転させる。これにより、圧縮機ＣＯＭが停止中であっても、少なくとも前記第１４強制運転時間はドレン水処理ユニット６０（特に、蒸発シート６２）に対する送風が行われることとなり、ドレンパン６１内のドレン水の蒸発が促進される。
【０１６９】
そして、ステップＳ１４７で室外ファンＦ４の前記第１４強制運転時間の連続運転又は前記第１４強制運転時間の間欠運転を行った後、ステップＳ１４８において、商品室ＳＲｎの商品搬出数をリセット（ゼロクリア）して本フローを終了する。
【０１７０】
ここで、ステップＳ１４５が省略されてもよい。この場合、前記第１４強制運転時間は、あらかじめ定められた一定時間とされ得る。あるいは、ステップＳ１４５において、商品室ＳＲｎの室内温度Ｔｎに代えて商品室ＳＲｎの室内湿度Ｈｎ、外気温度Ｔａ及び／又は外気湿度Ｈａを検知したり、外扉３の開放時間を算出したりしてもよい。この場合、ステップＳ１３６において、前記第１４強制運転時間は、室内湿度Ｈｎが高いほど、外気温度Ｔａが高いほど、外気湿度Ｈａが高いほど及び／又は外扉３の開放時間が長いほど、長い時間に設定され得る。
【０１７１】
ステップＳ１４９では、商品室ＳＲｎの商品搬出数が第２所定数に達したか否かを判断する。商品室ＳＲｎの商品搬出数が前記第２所定数に達していれば（商品室ＳＲｎの商品搬出数≧前記第２所定数であれば）ステップＳ１５０に進む。一方、商品室ＳＲｎの商品搬出数が前記第２所定数に達していなければ（商品室ＳＲｎの商品搬出数＜前記第２所定数であれば）本フローを終了する。前記第２所定数は、商品室ＳＲｎの設定温度（加温温度）及び／商品室ＳＲｎの大きさなどに基づいて任意に設定可能である。したがって、前記第２所定数は、商品室ごとに異なる値に設定され得る。もちろん、第２所定数は、各商品室の共通の値に設定されてもよい。また、前記第２所定数は、外気温度Ｔａに応じて可変設定されてもよい。この場合、第２所定数は、外気温度Ｔａが低いほど小さい値に設定され得る。
【０１７２】
ステップＳ１５０では、室内温度センサ１０１〜１０３のいずれかの検出信号に基づいて商品室ＳＲｎの室内温度Ｔｎを検知する。
【０１７３】
ステップＳ１５１では、ステップＳ１５０で検知された商品室ＳＲｎの室内温度Ｔｎに基づいて、圧縮機ＣＯＭの動作とは無関係に室外ファンＦ４を運転させる時間である室外ファンＦ４の第１５強制運転時間を設定する。前記第１５強制運転時間は、例えばステップ１００で検知された商品室ＳＲｎの室内温度Ｔｎが低いほど、長い時間に設定される。
【０１７４】
ステップＳ１５２では、圧縮機ＣＯＭの動作とは無関係に、第１５強制運転時間、室外ファンＦ４を運転（連続運転又は間欠運転）させる。すなわち、室外ファンＦ４が停止中であれば速やかに室外ファンＦ４を運転させ、圧縮機ＣＯＭの動作に伴って室外ファンＦ４が運転されていれば、圧縮機ＣＯＭの停止後においても室外ファンＦ４を継続して運転させる。これにより、圧縮機ＣＯＭが停止中であっても、少なくとも前記第１５強制運転時間はドレン水処理ユニット６０（特に、蒸発シート６２）に対する送風が行われることとなり、ドレンパン６１内のドレン水の蒸発が促進される。
【０１７５】
そして、ステップＳ１５２で室外ファンＦ４の前記第１４強制運転時間の連続運転又は前記第１４強制運転時間の間欠運転を行った後、ステップＳ１５３において、商品室ＳＲｎの商品搬出数をリセット（ゼロクリア）して本フローを終了する。
【０１７６】
ここで、ステップＳ１５０が省略されてもよい。この場合、前記第１５強制運転時間は、あらかじめ定められた一定時間とされ得る。あるいは、ステップＳ１５０において、商品室ＳＲｎの室内温度Ｔｎに代えて外気温度Ｔａを検知し及び／又は外扉３の開放時間を算出してもよい。この場合、ステップＳ１５１において、前記第１５強制運転時間は、外気温度Ｔａが低いほど及び／又は外扉３の開放時間が長いほど、長い時間に設定され得る。
【０１７７】
また、前記第８蒸発促進処理において、制御装置１００は、所定期間における商品室ＳＲ１〜ＳＲ３ごとの商品搬出数が前記第１所定数又は前記第２所定数に達した場合に、圧縮機ＣＯＭの動作とは無関係に室外ファンＦ４を運転させている。しかし、これに限られるものではない。制御装置１００は、所定期間における商品室ＳＲ１〜ＳＲ３ごとの商品搬出数を合計した総商品搬出数、換言すれば、自動販売機１の商品搬出数が第３所定数に達した場合に、圧縮機ＣＯＭの動作とは無関係に室外ファンＦ４を運転させるようにしてもよい。この場合において、前記第３所定数は、あらかじめ定められた一定数であってもよいし、前記運転モード、外気温度Ｔａ及び／又は外気湿度Ｈａなどに基づいて可変設定されてもよい。
【０１７８】
以上のように、本実施形態に係る自動販売機１において、制御装置１００は、商品室ＳＲ１〜ＳＲ３と外部との連通状態を検知すると、圧縮機ＣＯＭの動作とは無関係に室外ファンＦ４を運転させる。具体的には、制御装置１００は、前記第１〜第８蒸発促進処理の少なくとも一つを実行し、圧縮機ＣＯＭが停止中であって室外ファンＦ４を運転させ又は圧縮機ＣＯＭの停止後も室外ファンＦ４を継続して運転させる。
【０１７９】
このような構成により、本実施形態に係る自動販売機１は、商品室ＳＲ１〜ＳＲ３への外気の流入や商品Ｐの補充に伴って前記ドレン水が増加した場合であってもドレン水処理ユニット６０における前記ドレン水の溢れを防止することができる。
【０１８０】
なお、以上の説明において、制御装置１００は、商品室ＳＲ１〜ＳＲ３と外部との連通状態を検知すると、圧縮機ＣＯＭの動作とは無関係に室外ファンＦ４を運転させるようにしている。しかし、これに限られるものではない。制御装置１００は、商品室ＳＲ１〜ＳＲ３と外部との連通状態を検知することなく、外気湿度Ｈａが所定湿度Ｈａｔｈ以上である場合に、前記ドレン水が蒸発し難い状況にあると判断して、圧縮機ＣＯＭとは無関係に室外ファンＦ４を運転させてもよい。但し、商品室ＳＲ１〜ＳＲ３と外部との連通状態を検知することによって、不必要に室外ファンＦ４を運転してしまうことを抑制又は防止できるので、前記第１〜第８蒸発促進処理の方が好ましいのは当然である。
【０１８１】
また、自動販売機１がドレンパン６１の前記ドレン水の貯留量を検出する水位センサなどを有する場合、制御装置１００は、ドレンパン６１の前記ドレン水の貯留量が所定量以上である場合に、前記ドレン水が溢れるおそれがあると判断して、圧縮機ＣＯＭとは無関係に室外ファンＦ４を運転させてもよい。もちろん、制御装置１００は、前記第１〜８蒸発促進処理において、さらにドレンパン６１の前記ドレン水の貯留量が前記所定量以上であるか否かを判断し、前記ドレン水の貯留量が前記所定量以上ある場合に、圧縮機ＣＯＭとは無関係に室外ファンＦ４を連続運転又は間欠運転させるようにしてもよい。
【０１８２】
さらに、図示は省略するが、室外熱交換器ＨＥＸ４は、ドレンパン６１上に配置され又はドレンパン６１に連通する防水パン上に配置されてもよい。
【０１８３】
以上、本発明の実施形態及びその変形例について説明したが、本発明は上述の実施形態や変形例に限定されるものではなく、本発明の技術的思想に基づいて更なる変形や変更が可能である。
【符号の説明】
【０１８４】
１…自動販売機（商品収容装置）
２…自動販売機本体（装置本体）
３…外扉（扉部材）
４…内扉
５…商品収容庫
１０…冷媒回路
３１…商品取出口
４４…搬出口シャッタ（シャッタ部材）
６０…ドレン水処理ユニット
６１…ドレンパン
６２…蒸発シート
１００…制御装置
１０１〜１０３…室内温度センサ（室内温度検出部）
１０４…扉開閉センサ
１０５…外気温度センサ（外気温度検出部）
１０６〜１０８…室内湿度センサ（室内湿度検出部）
１０９…外気湿度センサ（外気湿度検出部）
ＳＲ１〜ＳＲ３…商品室
ＨＥＸ１〜ＨＥＸ３…室内熱交換器
Ｆ１〜Ｆ３…室内ファン
ＣＯＭ…圧縮機
ＨＥＸ４…室外熱交換器
Ｆ４…室外ファン
ＥＶ１〜ＥＶ４…膨張弁
【図１】
2017211755.tif 000003
【図２】
2017211755.tif 000004
【図３】
2017211755.tif 000005
【図４】
2017211755.tif 000006
【図５】
2017211755.tif 000007
【図６】
2017211755.tif 000008
【図７Ａ】
2017211755.tif 000009
【図７Ｂ】
2017211755.tif 000010
【図７Ｃ】
2017211755.tif 000011
【図８Ａ】
2017211755.tif 000012
【図８Ｂ】
2017211755.tif 000013
【図８Ｃ】
2017211755.tif 000014
【図９Ａ】
2017211755.tif 000015
【図９Ｂ】
2017211755.tif 000016
【図９Ｃ】
2017211755.tif 000017
【図１０Ａ】
2017211755.tif 000018
【図１０Ｂ】
2017211755.tif 000019
【図１０Ｃ】
2017211755.tif 000020
【図１１】
2017211755.tif 000021
【図１２】
2017211755.tif 000022
【図１３】
2017211755.tif 000023